(57)【要約】  本発明は、第１面と第２面とを有する分離膜、第１面に供給される被処理液が流れる被処理液流路、および第２面から得られる透過液が流れる透過液流路を備える分離膜モジュールの運転方法であって、被処理液流路に被処理液を供給して酸と接触すると不溶化する成分を含む透過液を得るろ過工程と、ろ過工程後に透過液流路内の液体を水に置換する第１水置換工程と、第１水置換工程後に第２面から第１面に向けて酸性の薬液を通液して逆圧洗浄を行う第１薬洗工程と、第１薬洗工程後に透過液流路内の液体を水に置換する第２水置換工程とを含む。
2015146990.tif 000002
【特許請求の範囲】
【請求項１】
第１面と第２面とを有する分離膜、前記第１面に供給される被処理液が流れる被処理液流路、および前記第２面から得られる透過液が流れる透過液流路を備える分離膜モジュールの運転方法であって、
前記被処理液流路に被処理液を供給することで、前記分離膜の第２面から、酸と接触すると不溶化する成分を含む透過液を得るろ過工程と、
前記ろ過工程後に、前記透過液流路内の液体を水に置換する第１水置換工程と、
前記第１水置換工程後に、前記分離膜の第２面から第１面に向けて酸性の薬液を通液することで逆圧洗浄を行う第１薬洗工程と、
前記第１薬洗工程後に、前記透過液流路内の液体を水に置換する第２水置換工程と、
を含む、分離膜モジュールの運転方法。
【請求項２】
前記第１水置換工程が、前記分離膜の第２面から第１面に向けて水を通液することを含む、請求項１に記載の分離膜モジュールの運転方法。
【請求項３】
前記第１薬洗工程の前に前記透過液流路内の液体を排出する工程を含む、請求項１または請求項２に記載の分離膜モジュールの運転方法。
【請求項４】
前記透過液のＴＯＣ（Total Organic Carbon）濃度が１００ｐｐｍ以上４０００００ｐｐｍ以下である、請求項１〜請求項３のいずれか１項に記載の分離膜モジュールの運転方法。
【請求項５】
前記透過液が、タンパク質、多糖および芳香族化合物からなる群より選択される少なくとも一つの物質を含む、請求項１〜請求項４のいずれか１項に記載の分離膜モジュールの運転方法。
【請求項６】
前記被処理液が２価以上の金属イオンを含み、かつ、多糖および芳香族化合物の少なくとも一方を含む、請求項１〜請求項５のいずれか１項に記載の分離膜モジュールの運転方法。
【請求項７】
前記被処理液中で、前記金属イオンと、前記多糖および芳香族化合物の少なくとも一方とが複合体を形成している、請求項６に記載の分離膜モジュールの運転方法。
【請求項８】
前記酸性の薬液が、塩酸、硝酸、硫酸、リン酸、ギ酸、酢酸、プロピオン酸、酪酸、クエン酸、シュウ酸、アスコルビン酸および乳酸からなる群より選択される少なくとも１種の化合物を含有し、かつ、ｐＨ１以上３以下の水溶液である、請求項１〜請求項７のいずれか１項に記載の分離膜モジュールの運転方法。
【請求項９】
前記第２水置換工程の後に、前記分離膜の第２面から第１面に向けてアルカリ性の薬液を通液する第２薬洗工程と、前記第２薬洗工程の後に、前記透過液流路内の液体を水に置換する第３水置換工程と、を含む請求項１〜請求項８のいずれか１項に記載の分離膜モジュールの運転方法。
【請求項１０】
前記第1水置換工程および前記第２水置換工程に使用される水、並びに前記第１薬洗工程で使用される薬液の温度が３５℃以上９０℃以下である、請求項１〜請求項９のいずれか１項に記載の分離膜モジュールの運転方法。
【請求項１１】
請求項１〜請求項１０のいずれか１項に記載の分離膜モジュールの運転を行う装置。
【発明の詳細な説明】
【技術分野】
【０００１】
本発明は、分離膜でろ過して得られる透過液が酸と接触すると不溶化する成分を含む液体のろ過を行う分離膜モジュールの運転方法に関する。
【背景技術】
【０００２】
分離膜による物質の分離は、相分離を行わずに物質のサイズや性質を利用した選択的分離や物質の濃縮、溶液からの異物除去を行うことができるため、水処理分野を中心に、食品・飲料製造や醸造、医薬品製造、医療用水製造など様々な分野のプロセスへと利用先が広がっている。【０００３】
これまで、主に水処理分野において、イオンや塩類などの溶質を含む海水、地下水、産業廃水などの被処理液をろ過し、生活用水、工業用水、農業用水などを製造するために、分離膜モジュールが用いられてきた。ろ過を担う分離膜モジュールのろ過膜としては、精密ろ過膜や限外ろ過膜が用いられるが、分離膜の孔を通過できない物質はファウリング要因物質として次第に堆積し、ろ過膜は目詰まりする。【０００４】
この目詰まりが進行すると、分離膜の被処理液の流入側（一次側）と、ろ過された水が流出する側（二次側）との圧力差が徐々に増え、その結果として分離膜の透過流束（フラックス）の低下、もしくは被処理液を膜モジュールに供給するポンプの出力増大を招く。【０００５】
ろ過膜の目詰まりは透過流束が高いほど早く進行するため、流束を下げることで目詰まりを抑制することができるが、その代わりに必要な分離膜の数が増え、膜の交換費用や膜洗浄に用いる薬品、運転に必要なポンプなどの機器の数が増え、コストやエネルギーが増大する。【０００６】
そこで、ろ過膜の目詰まりを解消しながら長時間安定的なろ過を実現するため、様々な膜分離運転技術が開発されてきた。例えば、分離膜モジュールの下部に配置した散気装置から空気を供給して、分離膜の表面を物理的に洗浄する空洗（例えば特許文献１参照）、分離膜の表面に対して被処理液や薬液を高い線速度で流すフラッシング（例えば特許文献２参照）が開示されている。【０００７】
また、膜のろ過と逆向きの方向、つまり二次側から一次側に向かってろ過を行って、分離膜の内部の汚れ物質を押し出す逆圧洗浄（以下、「逆洗」ということがある。）や、逆洗をろ過水ではなく薬液で行う薬液逆洗などがある。例えば、浄水の製造方法において中空糸膜によるろ過を行う際、膜内部の汚れ物質による閉塞を解消するため、薬液によって逆洗する方法、さらには薬液による逆洗の前に分離膜モジュール内の被処理液を抜くことで逆洗効果を高める方法が開示されている（例えば特許文献３参照）。
また、逆圧洗浄を先に水で行った後、さらに薬液で逆圧洗浄を行うことで、洗浄効果を高め、薬液使用量を減らす方法が開示されている（例えば特許文献４、５）。
【先行技術文献】
【特許文献】
【０００８】
【特許文献１】日本国特開２００６−２５５５８７号公報
【特許文献２】日本国特開２０１０−００５６１５号公報
【特許文献３】日本国特開２００４−０５７８８３号公報
【特許文献４】日本国特開２００７−０６１６９７号公報
【特許文献５】日本国特開２００７−３３０９１６号公報
【発明の概要】
【発明が解決しようとする課題】
【０００９】
しかしながら、特許文献１、２に記載の運転方法は、分離膜の一次側表面に堆積した汚れ物質の剥離には有効であるが、分離膜の内部に堆積した汚れ物質に対する効果は薄い。一方、特許文献３、４、５に記載の運転方法は分離膜内部の汚れを押し出すことができ、さらに薬液による逆洗を実施することによって、より高い洗浄効果が得られる。しかしながら、当該技術は浄水製造用途においては有効な方法であるものの、食品・飲料・バイオの分野において、ろ過分離対象となる水溶液によっては、処理運転時に分離膜の透過液側の流路や配管、分離膜の内部に酸性の液を供給すると、透過液の含有成分と酸が接触し、これにより生じる不溶性の変性物によって分離膜の閉塞が促進されることがある。
このように従来の技術では、透過液が酸と接触して不溶化する成分を含有するとき、長期安定的なろ過運転を実現できておらず、膜面積あたりのろ過流量を高く保ったまま長時間ろ過を継続できる分離膜モジュールの運転方法が求められていた。【００１０】
本発明の目的は、上記に鑑みてなされたものであって、簡便な操作方法で、得られる透過液が酸と接触すると不溶化する成分を含む液体（被処理液）を安定的にろ過できる分離膜の運転方法を提供することである。
【課題を解決するための手段】
【００１１】
上述した課題を解決し、目的を達成するために鋭意検討した結果、有機物の変性物が生成するのを抑制し、分離膜を閉塞させることなく、長期安定的に膜ろ過を行うことが可能であることを見出した。
すなわち、本発明の分離膜モジュールの運転方法は以下の［１］〜［１１］の構成を有する。【００１２】
［１］第１面と第２面とを有する分離膜、前記第１面に供給される被処理液が流れる被処理液流路、および前記第２面から得られる透過液が流れる透過液流路を備える分離膜モジュールの運転方法であって、前記被処理液流路に被処理液を供給することで、前記分離膜の第２面から、酸と接触すると不溶化する成分を含む透過液を得るろ過工程と、前記ろ過工程後に、前記透過液流路内の液体を水に置換する第１水置換工程と、前記第１水置換工程後に、前記分離膜の第２面から第１面に向けて酸性の薬液を通液することで逆圧洗浄を行う第１薬洗工程と、前記第１薬洗工程後に、前記透過液流路内の液体を水に置換する第２水置換工程と、を含む、分離膜モジュールの運転方法。
［２］前記第１水置換工程が、前記分離膜の第２面から第１面に向けて水を通液することを含む、前記［１］に記載の分離膜モジュールの運転方法。
［３］前記第１薬洗工程の前に前記透過液流路内の液体を排出する工程を含む、前記［１］または［２］に記載の分離膜モジュールの運転方法。
［４］前記透過液のＴＯＣ（Total Organic Carbon）濃度が１００ｐｐｍ以上４０００００ｐｐｍ以下である、前記［１］〜［３］のいずれか１つに記載の分離膜モジュールの運転方法。
［５］前記透過液が、タンパク質、多糖および芳香族化合物からなる群より選択される少なくとも一つの物質を含む、前記［１］〜［４］のいずれか１つに記載の分離膜モジュールの運転方法。
［６］前記被処理液が２価以上の金属イオンを含み、かつ、多糖および芳香族化合物の少なくとも一方を含む、前記［１］〜［５］のいずれか１つに記載の分離膜モジュールの運転方法。
［７］前記被処理液中で、前記金属イオンと、前記多糖および芳香族化合物の少なくとも一方とが複合体を形成している、前記［６］に記載の分離膜モジュールの運転方法。
［８］前記酸性の薬液が、塩酸、硝酸、硫酸、リン酸、ギ酸、酢酸、プロピオン酸、酪酸、クエン酸、シュウ酸、アスコルビン酸および乳酸からなる群より選択される少なくとも１種の化合物を含有し、かつ、ｐＨ１以上３以下の水溶液である、前記［１］〜［７］のいずれか１つに記載の分離膜モジュールの運転方法。
［９］前記第２水置換工程の後に、前記分離膜の第２面から第１面に向けてアルカリ性の薬液を通液する第２薬洗工程と、前記第２薬洗工程の後に、前記透過液流路内の液体を水に置換する第３水置換工程と、を含む、前記［１］〜［８］のいずれか１つに記載の分離膜モジュールの運転方法。
［１０］前記第１水置換工程および前記第２水置換工程に使用される水、並びに前記第１薬洗工程で使用される薬液の温度が３５℃以上９０℃以下である、前記［１］〜［９］のいずれか１項に記載の分離膜モジュールの運転方法。
［１１］前記［１］〜［１０］のいずれか１項に記載の分離膜モジュールの運転を行う装置。
【発明の効果】
【００１３】
本発明によって、分離膜でろ過して得られる透過液が酸と接触すると不溶化する成分を含む液体（被処理液）の膜ろ過運転を行う際、薬液による第１薬洗工程の前および後に、水による第１水置換工程および第２水置換工程を実施することで、有機物と薬液の接触を抑制する。これにより変性物が生成することに起因する膜閉塞を削減するとともに薬液洗浄効果を十分に発揮し、長時間安定的な膜ろ過運転を実現できる。
【図面の簡単な説明】
【００１４】
【図１】図１は、本発明の運転方法の実施形態を例示するフロー図である。
【図２】図２は、本発明の運転方法の他の実施形態を例示するフロー図である。
【図３】図３は、本発明の製造方法で使用する、膜分離装置の一例を示す概略図である。
【図４】図４は、本発明の製造方法で使用する、膜分離装置の他の例を示す概略図である。
【図５】図５は、実施例１および比較例１〜５、７、８の膜間差圧の変化図である。
【図６】図６は、本発明の製造方法で使用する、膜分離装置の他の例を示す概略図である。
【図７】図７は、本発明の製造方法で使用する、膜分離装置の他の例を示す概略図である。
【図８】図８は、実施例１、７、８および比較例６の膜間差圧の変化図である。
【発明を実施するための形態】
【００１５】
以下に、本発明の実施形態にかかる分離膜モジュールの運転方法を、図面に基づいて詳細に説明する。なお、本実施形態により本発明が限定されるものではない。
【００１６】
本発明の分離膜モジュールの運転方法は、第１面と第２面とを有する分離膜、前記第１面に供給される被処理液が流れる被処理液流路、および前記第２面から得られる透過液が流れる透過液流路を備える分離膜モジュールの運転方法であって、被処理液を膜ろ過して透過液を得る操作方法であり、図１に示すように、ろ過工程Ｓ１、第１水置換工程Ｓ３、第１薬洗工程Ｓ５および第２水置換工程Ｓ６を含む。
なお、図中の「終了」は、分離膜モジュールの運転を終了すること或いは「開始」に戻りろ過工程Ｓ１を行うことを意味する。
【００１７】
ろ過工程Ｓ１では、分離膜モジュールの被処理液流路を通じて分離膜の第１面に被処理液を供給し、分離膜の第２面から透過液を得る。第１水置換工程Ｓ３では、透過液流路内の液体を水に置換する。第１薬洗工程Ｓ５では、分離膜の第２面から分離膜の第１面に向けて薬液を通液して逆圧洗浄を行う。第２水置換工程Ｓ６では、透過液流路内の液体を水に置換する。なお、透過液流路とは、分離膜モジュールから透過液−透過液流路置換水切り替えバルブまでの配管、および分離膜モジュール内の膜の第２面に触れる流路を指す。
【００１８】
また分離膜モジュールの運転方法は、図２に示すように、第１水置換工程が逆圧洗浄による水置換であった場合、第１水排出工程Ｓ４を任意に含むことができる。第１水排出工程Ｓ４は、第１水置換工程Ｓ３と第１薬洗工程Ｓ５の間で、分離膜モジュールの分離膜の第１面に接触する洗浄水を排出する工程である。
また分離膜モジュールの運転方法は、図２に示すように、被処理液排出工程Ｓ２および第２水排出工程Ｓ７のいずれか、または両方の排出工程を任意に含むことができる。被処理液排出工程Ｓ２は、ろ過工程Ｓ１と第１水置換工程Ｓ３の間で、分離膜モジュールの被処理液流路にある被処理液を排出する工程である。第２水排出工程Ｓ７は、第２水置換工程Ｓ６の後で、分離膜モジュールの被処理液流路にある洗浄水を排出する工程である。
【００１９】
本発明の分離膜モジュールの運転方法は、好ましくはろ過工程Ｓ１、第１水置換工程Ｓ３、第１水排出工程Ｓ４、第１薬洗工程Ｓ５および第２水置換工程Ｓ６を含むとよい。より好ましくはろ過工程Ｓ１、被処理液排出工程Ｓ２、第１水置換工程Ｓ３、第１水排出工程Ｓ４、第１薬洗工程Ｓ５、第２水置換工程Ｓ６および第２水排出工程Ｓ７を含むとよい。
【００２０】
１．分離膜モジュール
分離膜モジュールとしては、従来公知の構成が適用可能である。
【００２１】
分離膜モジュールは、分離膜を備える。また、膜で無くとも、サイズ分離に基づいたろ過と逆洗が可能な機構であればよい。例えば、砂ろ過やろ布ろ過も用いることができる。
分離膜は、逆洗が可能な膜であれば有機膜でも無機膜でもよく、例えばポリフッ化ビニリデン製、ポリスルホン製、ポリエーテルスルホン製、ポリテトラフルオロエチレン製、ポリエチレン製、ポリプロピレン製、セラミックス製の膜が挙げられる。特に、有機物による汚れが発生しにくく、かつ洗浄がしやすく、さらに耐久性に優れているポリフッ化ビニリデン製の分離膜が好ましい。
【００２２】
分離膜は、精密ろ過膜であっても限外ろ過膜であっても構わない。分離膜の細孔径については特に限定されず、被処理液中の濁質、溶解成分を良好に分離するため、平均細孔径が０．００１μｍ以上１０μｍ未満の範囲内で適宜選択することができる。膜の平均細孔径は、ＡＳＴＭ：Ｆ３１６−８６記載の方法（別称：ハーフドライ法）にしたがって決定される。なお、このハーフドライ法によって決定されるのは、分離膜の最小孔径層の平均孔径である。
【００２３】
ハーフドライ法による平均細孔径の測定の標準測定条件は、使用液体をエタノール、測定温度を２５℃、昇圧速度を１ｋＰａ／秒とする。平均細孔径［μｍ］は、下記式より求まる。
平均細孔径［μｍ］＝（２８６０×表面張力［ｍＮ／ｍ］）／ハーフドライ空気圧力［Ｐａ］
【００２４】
エタノールの２５℃における表面張力は２１．９７ｍＮ／ｍである（日本化学会編、化学便覧基礎編改訂３版、ＩＩ−８２頁、丸善（株）、１９８４年）ので、標準測定条件の場合、平均細孔径は、
平均細孔径［μｍ］＝６２８３４．２／ハーフドライ空気圧力［Ｐａ］
にて求めることができる。
【００２５】
また、分離膜の形状は、逆洗が可能であれば中空糸膜、チューブラー膜、モノリス膜、プリーツ膜などいずれの形状のものも採用することができるが、分離膜モジュールの体積に比べ膜面積が広い中空糸膜が好ましい。
【００２６】
中空糸膜は、中空糸の外側から内側に向かってろ過する外圧式と、内側から外側に向かってろ過する内圧式のいずれであってもよいが、濁質による閉塞の起こりにくい外圧式中空糸膜がより好ましい。外圧式中空糸膜であれば、中空糸の外径は０．５ｍｍ以上３ｍｍ以下であることが望ましい。外径が０．５ｍｍ以上であることで、中空糸膜中に流れる透過液の抵抗を比較的小さく抑えられる。また、外径が３ｍｍ以下であることで、被処理液により中空糸膜がつぶれることを抑制できる。また、内圧式中空糸膜であれば、内径は０．５ｍｍ以上３ｍｍ以下が望ましい。内径が０．５ｍｍ以上であることで、中空糸膜中に流れる被処理液の抵抗を比較的小さく抑えることができる。また、内径が３ｍｍ以下であることで、膜表面積を確保することができるので、使用モジュール本数の増大を抑制することができる。
【００２７】
分離膜モジュールは、分離膜以外に、様々な部材を備えることができる。例えば、分離膜モジュールは、分離膜の周囲を覆う筐体；筐体内に被処理液を導く導入口、濃縮水を排出する濃縮水排出口、透過液を排出する透過液排出口等を備えてもよい。
【００２８】
２．分離膜モジュールの運転方法
本発明における、分離膜モジュールの運転方法は、第１面と第２面とを有する分離膜、第１面に供給される被処理液が流れる被処理液流路、および第２面から得られる透過液が流れる透過液流路を備える分離膜モジュールの運転方法であって、以下の工程Ｓ１，Ｓ３，Ｓ５，Ｓ６を順に実施することを特徴とする。：
（ａ）被処理液流路を通じて分離膜の第１面に被処理液を導入し、分離膜の第２面から酸と接触すると不溶化する成分を含む透過液を得るろ過工程Ｓ１
（ｂ）分離膜の透過液流路内の液体を水に置換する第１水置換工程Ｓ３
（ｃ）分離膜の第２面から第１面に向けて酸性の薬液を通液する第１薬洗工程Ｓ５、および
（ｄ）分離膜の透過液流路の液体を水に置換する第２水置換工程Ｓ６
【００２９】
各工程について、以下に説明する。
【００３０】
２−１．ろ過工程
分離膜モジュールを用いたろ過装置の一例について、図３および４を参照して説明する。図３は本発明の運転方法で全量ろ過を行う際に使用する膜分離装置の概略図、図４は本発明の運転方法でクロスフローろ過を行う際に使用する膜分離装置の概略図である。
【００３１】
ろ過工程Ｓ１において、被処理液が分離膜モジュール８の第１面から流入し、ろ過された透過液が第２面から流出する。具体的には図３においては、被処理液が被処理液供給槽１から引き抜かれ、配管３を通って分離膜モジュール８に供給される。被処理液は分離膜モジュール８によってろ過され、濃縮液と透過液とに分離される。透過液は、透過液−透過液流路置換水切り替えバルブ１３、透過液流路４４を通って透過液槽２１に送られる。全量ろ過では、濃縮液は膜の一次側（流入側）に留まる。またクロスフローろ過では、濃縮液はクロスフロー切り替えバルブ２６を通して分離膜モジュール８の外に排出され、被処理液供給槽１に還流される。
【００３２】
ろ過の駆動力は、被処理液供給槽１と分離膜モジュール８との液位差（水頭差）を利用するサイホンによって得られてもよいし、図３のろ過ポンプ２による加圧によって発生する膜間差圧によって得られてもよい。また、ろ過の駆動力として、分離膜モジュール８の透過液流路側に吸引ポンプ（ろ過ポンプ）が設置されてもよい。図３の例は、分離膜モジュール８の被処理液流路にろ過ポンプ２を配置した例である。
【００３３】
ろ過は連続的に行うこともできるし、間欠的に行うことも出来る。間欠的にろ過を行う場合、例えばろ過を５〜１２０分間継続して実行する毎に、所定の時間（例えば０．１〜３０分間）ろ過を停止することができる。より好ましくはろ過を１０〜３０分間継続するごとに、０．２５〜１０分間ろ過を停止するとよい。
【００３４】
ろ過を停止する時間に、後述する第１水置換工程Ｓ３、第１薬洗工程Ｓ５および第２水置換工程Ｓ６と、任意に第１水排出工程Ｓ４、被処理液排出工程Ｓ２、第２水排出工程Ｓ７を実施してもよい。また、ろ過を停止する時間に、第１水置換工程Ｓ３および／または被処理液排出工程Ｓ２のみを実施してもよい。第１薬洗工程Ｓ５および第２水置換工程Ｓ６を実施する目安は、分離膜モジュール８の分離膜の第１面と第２面の膜間差圧を基準にすることができる。本発明では膜間差圧が好ましくは１０〜１００ｋＰａ、より好ましくは１５〜５０ｋＰａのとき、第１薬洗工程Ｓ５および第２水置換工程Ｓ６を実施するとよい。膜間差圧は、差圧計２７により測定することができる。
【００３５】
ろ過流量の制御方法としては定流量ろ過であっても定圧ろ過であっても差し支えはないが、透過液の生産量の制御のし易さの点から定流量ろ過であることが好ましい。
【００３６】
２−２．第１水置換工程
本発明の運転方法において、ろ過工程Ｓ１に続いて、分離膜を逆洗する第１水置換工程Ｓ３を実施する。これにより、透過液流路内や、分離膜モジュールに残留した被処理液を容易に水で置換することができる。これにより、後述する第１薬洗工程Ｓ５において、薬液と透過液中の酸と接触すると不溶化する成分が酸と接触することなく、分離膜の薬液による逆洗を実施することができる。図３の構成では、透過液流路４４に配管１０が接続されており透過液流路置換水ポンプ１５を用いて分離膜モジュール８に透過液流路置換水を投入する。
また、配管１０には透過液流路置換水−酸性薬液切り替えバルブ１１を介して、透過液流路置換水配管１６と、酸性薬液配管１７が接続している。透過液流路置換水配管１６と酸性薬液配管１７には、透過液流路置換水供給源２２と酸性薬液槽２３がそれぞれ接続されている。
【００３７】
透過液流路置換水供給源２２から供給される水の種類としては、ＴＯＣ濃度が１００ｐｐｍ以下であれば特に制限されるものではなく、例えば蒸留水、イオン交換水、逆浸透ろ過水等が例示される。
【００３８】
第１水置換工程Ｓ３の実行時には、透過液を溜める透過液槽２１に透過液流路置換水が流入しないように、ろ過が停止される。すなわち、透過液−透過液流路置換水切り替えバルブ１３が、透過液流路置換水配管１６側が開、透過液槽２１側が閉になり、かつろ過ポンプ２が停止する。この状態で、排出バルブ９が開き、透過液流路置換水−酸性薬液切り替えバルブ１１の透過液流路置換水供給源２２側を開、酸性薬液槽２３側を閉にして、透過液流路置換水ポンプ１５が稼働することで、透過液流路の水置換が行われる。
【００３９】
第１水置換工程Ｓ３の実施は、次の第１薬洗工程Ｓ５で薬液が触れる透過液流路を置換できる十分な時間実施すればよい。
【００４０】
これらの制御は、制御装置２０により実行可能である。逆圧洗浄の開始時および終了時を決定するために、膜分離装置は、図示しないタイマー等の計測器を備えてもよい。また、この第１水置換工程Ｓ３は、分離膜の第２面から第１面に透過液流路置換水を通液する逆圧洗浄であってもよい。
【００４１】
２−３．第１薬洗工程
本発明の運転方法においては、第１水置換工程Ｓ３の後に、分離膜を薬液で逆洗する第１薬洗工程Ｓ５を実施する。
【００４２】
第１薬洗工程Ｓ５の実行時には、第１水置換工程Ｓ３の状態から、透過液流路置換水−酸性薬液切り替えバルブ１１の透過液流路置換水供給源２２側を閉、酸性薬液槽２３側を開にすることで、酸性薬液による逆洗が行われる。
【００４３】
第１薬洗工程Ｓ５の実施時間は、３０秒から３０分間程度であるのが好ましい。あまり実施時間が長いとろ過を止めている時間が長くなって運転効率が落ち、また、使用する薬液量が増えて経済的に不利になるためである。さらには同じ理由により３０秒から１０分程度であるのがより好ましい。また、膜間差圧から推測される分離膜の目詰まりに応じて、時間を短縮、または延長してもよい。
【００４４】
２−４．第２水置換工程
本発明の運転方法においては、第１薬洗工程Ｓ５の後に、透過液流路を再び水で逆洗する第２水置換工程Ｓ６を実施する。これにより、透過液流路内に残留した薬液をすすぐためのリンスを行うことができ、透過液と薬液が接触して変性物を生じたり、透過液に薬剤が混入したりすることなく、ろ過を再開することができる。また、この第２水置換工程Ｓ６は、分離膜の第２面から第１面に透過側流路置換水を通液する逆圧洗浄であってもよい。
【００４５】
第２水置換工程Ｓ６の実行時には、第１薬洗工程Ｓ５の状態から、透過液流路置換水−酸性薬液切り替えバルブ１１の透過液流路置換水供給源２２側を開、酸性薬液槽２３側を閉にすることで、透過側流路置換水による透過液流路の液体の置換が行われる。第２水置換工程Ｓ６を停止するときには、透過液流路置換水ポンプ１５が停止する。この状態で排出バルブ９が閉じ、ろ過バルブ４が開き、透過液−透過液流路置換水切り替えバルブ１１が透過液槽２１側を開、透過液流路置換水供給源２２側を閉にし、ろ過ポンプ２が駆動することで、ろ過工程Ｓ１が実行される。
【００４６】
第２水置換工程Ｓ６の実施は、前の第１薬洗工程Ｓ５で薬液が触れた透過液流路を置換できる十分な時間実施すればよい。
【００４７】
２−５．第１水排出工程
本発明の運転方法において、第１水置換工程Ｓ３の後、第１薬洗工程Ｓ５の前に、分離膜モジュール８の分離膜の第１面側に溜まっている液を排出する第１水排出工程Ｓ４が行われてもよい。具体的には、図３において、透過液流路置換水ポンプ１５が停止し、排濁バルブ６と排出バルブ９が開くことで、分離膜モジュール８内に溜まった液体が分離膜モジュール８外に排出される。排出は重力落下によって行われてもよいし、吸引ポンプ７を用いて行われてもよい。排出された液体は、排水−排濁液貯槽切り替えバルブ３３を通じて排水として廃棄してもよいし、排濁液貯槽２４で回収して再利用してもよい。回収した液は排濁液還流配管３２を通じて排濁液還流ポンプ３１によって被処理液供給槽１に還流させてもよい。続いて、排濁バルブ６を閉じ、透過液流路置換水−酸性薬液切り替えバルブ１１の透過液流路置換水供給源２２側を閉、酸性薬液槽２３側を開にすることで、第１薬洗工程Ｓ５が開始される。第１水排出工程Ｓ４を実施することにより、第１薬洗工程Ｓ５で膜表面近くの薬液の濃度を高く維持し、酸性薬液による逆洗を効率的に行うとともに、酸性薬液の必要量を削減することができる。
【００４８】
２−６．被処理液排出工程
本発明の製造方法において、ろ過工程Ｓ１に続き第１水置換工程Ｓ３の前に、分離膜の一次側に溜まっている液を排出する被処理液排出工程Ｓ２が行われてもよい。具体的には、図３において、ろ過バルブ４が閉じ、ろ過ポンプ２が停止する。この状態で排濁バルブ６と排出バルブ９が開くことで、分離膜モジュール８内に溜まった被処理液が分離膜モジュール８外に排出される。排出は重力落下によって行われてもよいし、吸引ポンプ７を用いて行われてもよい。排出された排濁液は排水−排濁液貯槽切り替えバルブ３３を通じて排水として廃棄してもよいし、排濁液貯槽２４で回収して再利用してもよい。回収した液は排濁液還流配管３２を通じて排濁液還流ポンプ３１によって被処理液供給槽１に還流させてもよい。続いて、排濁バルブ６と排出バルブ９を閉じ、透過液流路置換水−酸性薬液切り替えバルブ１１の透過液流路置換水供給源２２側を開、酸性薬液槽２３側を閉にし、透過液流路置換水ポンプ１５が稼動することで、第１水置換工程Ｓ３が開始される。被処理液排出工程Ｓ２を実施することにより、第１水置換工程Ｓ３での洗浄効果を高くすることができる。
【００４９】
２−７．第２水排出工程
本発明の製造方法においては、第２水置換工程Ｓ６に続いて、分離膜モジュール８の分離膜の第１面側に溜まっている液を排出する第２水排出工程Ｓ７が行われてもよい。具体的には、図３において、透過液流路置換水ポンプ１５が停止し、排濁バルブ６と排出バルブ９が開くことで、分離膜モジュール８内の分離膜の第１面側に溜まった液体が分離膜モジュール８外に排出される。排出は重力落下によって行われてもよいし、吸引ポンプ７を用いて行われてもよい。
第２水排出工程Ｓ７で排出された液体は、排水−排濁液貯槽切り替えバルブ３３を通じて排水として廃棄してもよいし、排濁液貯槽２４で回収して再利用してもよい。また、回収した液は排濁液還流配管３２を通じて排濁液還流ポンプ３１によって被処理液供給槽１に還流させてもよい。続いて、排濁バルブ６と排出バルブ９が閉じ、透過液−透過液流路置換水切り替えバルブ１３が透過液槽２１側に開きろ過ポンプ２が駆動することで、ろ過工程Ｓ１が実行される。第２水排出工程Ｓ７を行うことにより、被処理液が薄まることを抑制できる。
【００５０】
２−８．第２薬洗工程Ｓ８と第３水置換工程Ｓ９
本発明の製造方法においては、前記第２水置換工程Ｓ６の後に、前記分離膜の第２面から第１面にアルカリ性の薬液を通液する第２薬洗工程Ｓ８と、前記第２薬洗工程の後に、前記分離膜モジュールの透過液流路を水で置換する第３水置換工程Ｓ９とを実施してもよい。
具体的にはまず、図６の構成では、第２水置換工程Ｓ６の状態から、透過液流路置換水−酸性薬液切り替えバルブ１１の透過液流路置換水供給源２２側を開、酸性薬液槽２３側を閉にし、透過液流路置換水−アルカリ性薬液切り替えバルブ３５のアルカリ性薬液槽３７方向を開にすることで、第２薬洗工程Ｓ８が行われる。続いて、第２薬洗工程Ｓ８の状態から、透過液流路置換水−アルカリ性薬液切り替えバルブ３５の透過液流路置換水供給源２２側を開、アルカリ性薬液槽３７側を閉にすることで、第３水置換工程Ｓ９が行われる。この状態で排出バルブ９が閉じ、ろ過バルブ４が開き、透過液−透過液流路置換水切り替えバルブ１３が透過液槽２１側を開、透過液流路置換水供給源２２側を閉にし、ろ過ポンプ２が駆動することで、ろ過工程Ｓ１が実行される。
【００５１】
第２薬洗工程Ｓ８の実施時間は、３０秒から３０分間程度であるのが好ましい。あまり実施時間が長いとろ過を止めている時間が長くなって運転効率が落ち、また、使用する薬液量が増えて経済的に不利になるためである。さらには同じ理由により３０秒から１０分程度であるのがより好ましい。また、膜間差圧から推測される膜の目詰まりに応じて、時間を短縮、または延長してもよい。また、第３水置換工程Ｓ９の実施は、第２薬洗工程Ｓ８で薬液の触れた配管および分離膜モジュール内の水が置換できる十分な時間実施すればよい。
【００５２】
第３水置換工程Ｓ９を実施することで、第２薬洗工程で分離膜内に残留したアルカリ性の薬液や、分離膜モジュールに付着した薬液をすすぐためのリンスを行うことができ、被処理液や透過液が薬液が接触して変性物を生じたり、透過液に薬剤が混入したりすることなく、ろ過を再開することができる。
【００５３】
３．透過液
本願発明の分離膜を透過した透過液は、酸性の薬液と接触すると不溶化する成分を含む。透過液が、酸性の薬液と接触すると不溶化する成分を含むかどうかは、例えば、透過液に酸性の薬液を等量添加し、２００００ｇで遠心分離を行った際に、沈殿する画分が生じるかどうかで確認することが出来る。または、透過液に蒸留水を等量添加した液と、透過液に酸性の薬液を等量添加した液をそれぞれ、分画分子量３０００のメンブランフィルターにてろ過したあと、フィルターを乾燥し、乾燥後の重量が酸性薬液を添加した場合のほうが重ければ、透過液に不溶化成分を含むと判断することが出来る。
【００５４】
また、透過液のＴＯＣ濃度は、１００ｐｐｍ以上４０００００ｐｐｍ以下、特に４００ｐｐｍ以上３６００００ｐｐｍ以下であることが好ましい。透過液のＴＯＣ濃度が１００ｐｐｍ未満では本発明を実施する効果は小さく、また、４０００００ｐｐｍを超えると充分な洗浄効果が得られない。
【００５５】
また、透過液はタンパク質、多糖および芳香族化合物からなる群より選択される少なくとも一つ以上の物質、またはその分解物を含むことが好ましい。多糖としては、セルロース、ヘミセルロース、デンプン、グリコーゲン、アガロース、ペクチン、マンナン、カラギーナン、グアーガム、ゼラチンや、その分解物が例示される。被処理液が多糖を含むかどうかは、例えば、被処理液と、被処理液をアルカリ性に調整後、１２１℃で２０分間加水分解した液について、含有する単糖量をＨＰＬＣによって測定し、被処理液と加水分解液で単糖含有量の差によって確認することが出来る。また、芳香族化合物としては、リグニン、カテキン、フラボノイド、ポリフェノールやその分解物が例示される。被処理液がこれらの物質を含むかどうかは、一般的に知られている各物質の測定手法によって測定することができる。
【００５６】
４．被処理液
分離対象となる被処理液は、２価以上の金属イオンを含み、かつ、多糖および芳香族化合物の少なくとも一方を含む水溶液であることが好ましい。金属としては、例えば亜鉛、鉄、カルシウム、鉄、アルミニウム、マグネシウム、マンガン、銅、ニッケルが例示される。多糖としては、セルロース、ヘミセルロース、デンプン、グリコーゲン、アガロース、ペクチン、マンナン、カラギーナン、グアーガム、ゼラチンや、その分解物が例示される。被処理液が多糖を含むかどうかは、例えば、被処理液と、被処理液をアルカリ性に調整後、１２１℃で２０分間加水分解した液について、含有する単糖量をＨＰＬＣによって測定し、被処理液と加水分解液で単糖含有量の差によって確認することが出来る。また、芳香族化合物としては、リグニン、カテキン、フラボノイド、ポリフェノールやその分解物が例示される。被処理液がこれらの物質を含むかどうかは、一般的に知られている各物質の測定手法によって測定することができる。
【００５７】
また、被処理液中の金属イオンと、多糖および芳香族化合物の少なくとも一方とは複合体を形成していることが好ましい。金属イオンと、多糖および芳香族化合物の少なくとも一方が被処理液中で複合体を形成していることで、酸性の薬液による透水性の回復効果をより高く得ることができる。複合体を形成しているかどうかは、例えば、被処理液にキレート剤を添加する前後での分子量分布を測定することによって確認することが出来るが、この限りでない。
【００５８】
また、被処理液は有機物を好ましくは１００ｍｇ／Ｌ以上、より好ましくは１００〜６５０ｇ／Ｌ含有する溶液である。主な有機物としては、多糖、オリゴ糖などの糖や芳香族化合物、タンパク質、アミノ酸である。このような被処理液としては、例えば、果実や野菜の絞り汁・ジュース、茶、牛乳・豆乳・ホエー、調味液、ビール・ワイン・日本酒などの酒類、食酢、醤油、発酵液、デンプン糖化液、水あめ、異性化糖液、オリゴ糖水溶液、甘藷・サトウキビなどの絞り汁、ハチミツ、セルロース含有バイオマスの糖化液、点滴液、水産加工排水などが例示される。有機物の状態としては、溶解していてもよいし、コロイド、または懸濁質として存在していてもよい。
【００５９】
５．酸性の薬液
酸性の薬液としては、塩酸、硝酸、硫酸、リン酸などの無機酸、ギ酸、酢酸、プロピオン酸、酪酸、クエン酸、シュウ酸、アスコルビン酸、及び乳酸などの有機酸からなる群より選択される少なくとも１種の化合物を含有する水溶液が好ましい。また、酸性の水溶液のｐＨは、特に制限されるものではないが、好ましくはｐＨ０〜５、より好ましくはｐＨ１〜３である。酸性の水溶液のｐＨをこのような範囲にすることにより、洗浄効果を十分に得ると共に、膜の寿命を長くすることができる。
【００６０】
薬液の濃度は１０ｍｇ／Ｌから２０００００ｍｇ／Ｌであることが好ましい。１０ｍｇ／Ｌより薄いと洗浄効果が十分でなく、２０００００ｍｇ／Ｌより濃くなると薬剤のコストが高くなり、不経済となるからである。薬剤は１種類であっても２種類以上の混合物であってもよい。
【００６１】
６．アルカリ性の薬液
アルカリ性の薬液としては、水酸化ナトリウム、水酸化カリウム、アンモニア水、炭酸水素ナトリウムからなる群より選択される少なくとも１種以上の化合物を含有する水溶液が好ましい。また、前記アルカリ性化合物以外に酸化剤、例えば次亜塩素酸ナトリウムなどを含んでもよい。また、アルカリ性の水溶液のｐＨは、ｐＨ９〜１４、より好ましくはｐＨ１０〜１２であるとよい。アルカリ性の水溶液のｐＨをこのような範囲にすることにより、洗浄効果を十分に得ると共に、膜の寿命を長くすることができる。
【００６２】
７．温度
第１水置換工程と第２水置換工程に使用される水、第１薬洗工程で使用される酸性の薬液、および／または第２薬洗工程で使用されるアルカリ性の薬液の温度は、２０℃以上９７℃以下であることが好ましく、より好ましくは３５℃以上９５℃以下である。使用する水および薬液の温度をこのような範囲にすることにより、洗浄効果を充分に得ることが出来る。
【００６３】
８．全量ろ過とクロスフローろ過
分離膜モジュールで行われるろ過は、全量ろ過であってもよいし、クロスフローろ過が行われてもよい。ただし、高濃度に有機物を含有する被処理液では分離膜に付着する汚れの量が多いので、この汚れを効果的に除去するためには、クロスフローろ過を行うことが好ましい。クロスフローろ過によって、循環する被処理液のせん断力で膜に付着する汚れを除去することができるからである。
【００６４】
クロスフローろ過を実施する場合の膜ろ過装置の概略図を図４に例示する。ろ過の駆動力は、クロスフローろ過循環ポンプ１８によって得られる膜間差圧によって得られる。クロスフロー循環では、被処理液供給槽１から取り出された被処理液が、クロスフローろ過循環ポンプ１８により分離膜モジュール８へ供給され、分離膜の表面に沿って流れ、膜ろ過される。分離膜を透過しなかった濃縮水は、分離膜モジュール８から排出され、被処理液供給槽１へ戻される。
【００６５】
第１水排出工程Ｓ４、被処理液排出工程Ｓ２および第２水排出工程Ｓ７において、分離膜モジュール８への被処理液の供給は止める。この際、被処理液のクロスフロー流は、分離膜モジュール８と並列に配置したバイパスライン２５に流すことが好ましい。具体的には、図４で示すクロスフロー切り替えバルブ１９，２６の分離膜モジュール８側を閉、バイパスライン２５側を開にし、バイパスライン２５にクロスフロー循環を行う。これにより、クロスフローろ過循環ポンプ１８の運転／停止の回数を減らすことができる。被処理液を分離膜モジュール８へ供給するクロスフロー循環を再開する際は、クロスフロー切り替えバルブ１９，２６の分離膜モジュール８側を開、バイパスライン２５側を閉にする。これにより分離膜モジュール８へ被処理液を供給し、分離膜モジュール８から排出する濃縮水を被処理液供給槽１へ戻すクロスフロー循環が再開される。
【００６６】
第１水置換工程Ｓ３、第１薬洗工程Ｓ５および第２水置換工程Ｓ６において、分離膜モジュール８への被処理液の供給は止めても止めなくてもよい。しかし、分離膜モジュール８から被処理液供給槽１へ戻すクロスフロー流の循環を止めるほうが好ましい。この際、被処理液供給槽１から流出する被処理液のクロスフロー流はバイパスライン２５に流すことが好ましい。具体的には、図４で示すクロスフロー切り替えバルブ１９，２６の分離膜モジュール８側を閉、バイパスライン２５側を開にし、バイパスライン２５にクロスフロー循環を行う。これにより、クロスフローろ過循環ポンプ１８の運転／停止の回数を減らすことができる。分離膜モジュール８へのクロスフロー循環を再開する際は、クロスフロー切り替えバルブ１９、２６の分離膜モジュール８側を買い、バイパスライン２５側を閉にすることで、分離膜モジュール８へ被処理液を供給し、分離膜モジュール８から排出する濃縮液を被処理液供給槽１へ戻すクロスフロー循環が再開される。
【実施例】
【００６７】
以下に、実施例および比較例を挙げて本発明を具体的に説明するが、本発明はこれらの実施例により限定されるものではない。【００６８】
（実施例１）
図４に示す膜分離装置を用いて、セルロース含有バイオマス由来糖液のろ過を実施した。分離膜としては、東レ（株）製精密ろ過膜モジュール“トレフィル”（登録商標）ＨＦＳに使用されている公称細孔径０．０５μｍのポリフッ化ビニリデン製中空糸膜を切り出し、ポリカーボネート樹脂の成型品ケースに収容した中空糸膜モジュールを使用した。【００６９】
セルロース含有バイオマス由来糖液は、次の手順に従って得た。まず、稲藁約４００ｇに、蒸留水２９４０ｇ、濃硫酸６０ｇを添加して懸濁し、オートクレーブ（日東高圧（株）製）を用いて１５℃で３０分オートクレーブ処理した。処理後、水酸化ナトリウムによってｐＨを５付近に調整した混合液を得た。続いて、トリコデルマセルラーゼ（シグマアルドリッチジャパン社製）およびノボザイム１８８（アスペルギルスニガー由来βグルコシダーゼ製剤、シグマアルドリッチジャパン社製）を併せて２５ｇ含む酵素水溶液２５０ｇを調製し、前述の混合液に添加して５０℃で３日間攪拌混合して、静置後の上清をろ過に供試した。供試した糖液の亜鉛イオン濃度は１２００ｐｐｍ、多糖濃度は５ｇ／L、タンパク質濃度は１０ｇ／Lであった。【００７０】
得られた糖液を図４の分離膜装置の被処理液供給槽１に入れ、膜ろ過を実施した。ろ過はクロスフローろ過を行い、まずろ過工程Ｓ１として、ろ過バルブ４を開けてクロスフローろ過循環ポンプ１８を駆動し、糖液を膜面線速度０．３ｍ／ｓｅｃになるように分離膜モジュール８へ供給し、膜ろ過されなかった濃縮液はクロスフロー切り替えバルブ２６を通り被処理液供給槽１に戻すよう循環させた。同時に透過液−透過液流路置換水切り替えバルブ１３の透過液槽２１側を開にして、糖液を分離膜モジュール８の分離膜の一次側から二次側にろ過流束１ｍ３／ｍ２／日で２８分間、ろ過を実施した。このとき、得られた透過液のＴＯＣ濃度は２５０００ｐｐｍであった。続いて、クロスフロー切り替えバルブ１９，２６を、分離膜モジュール８側を閉じ、バイパスライン２５側を開け、排出バルブ９を開け、透過液流路置換水−酸性薬液切り替えバルブ１１の透過液流路置換水供給源２２側を開にし、透過液−透過液流路置換水切り替えバルブ１３の透過液流路置換水ポンプ１５側を開にして、透過液流路置換水ポンプ１５を駆動し、分離膜モジュール８の分離膜の二次側から一次側に向かって蒸留水を１．５ｍ３／ｍ２／日で通液する第１水置換工程Ｓ３を２分間実施した。
続いて、透過液流路置換水−酸性薬液切り替えバルブ１１の透過液流路置換水供給源２２側を閉、酸性薬液槽２３側を開にそれぞれ変更し、分離膜モジュール８の分離膜の二次側から一次側に向かって３５℃の０．１Ｎ塩酸を１．５ｍ３／ｍ２／日で通液する第１薬洗工程Ｓ５を５分間実施した。
その後、再び透過液流路置換水−酸性薬液切り替えバルブ１１を、酸性薬液槽２３側を閉、透過液流路置換水供給源２２側を開にそれぞれ戻し、分離膜モジュールの分離膜の二次側から一次側に向かって蒸留水を１．５ｍ３／ｍ２／日で通液する第２水置換工程Ｓ６を実施した。
第２水置換工程Ｓ６を終了後は、透過液流路置換水ポンプ１５を停止し、排出バルブ９を閉め、透過液−透過液流路置換水切り替えバルブ１３を再びろ過工程Ｓ１に戻って、ろ過工程Ｓ１−第１水置換工程Ｓ３−第１薬洗工程Ｓ５−第２水置換工程Ｓ６を繰り返して糖液のろ過を継続した。
この間、分離膜の一次側圧力と二次側圧力の差分を差圧計２７によって観測し、その結果を図５および図８に示す。図５および図８の横軸は膜面積あたりの総ろ過量、縦軸は膜間差圧を表す。実施例１の運転方法では、後述する比較例１〜８に比較して膜間差圧の上昇が抑制され、長時間安定的に運転することが出来た。【００７１】
（比較例１）第１水置換工程を実施しない運転
図４に示す膜分離装置を用いて、セルロース含有バイオマス由来糖液の膜ろ過を実施した。分離膜および、セルロース含有バイオマス由来糖液は実施例１と同様に調製した。
得られた糖液を膜分離装置の被処理液供給槽１に入れ、クロスフローろ過を行った。まず、ろ過工程としてろ過バルブ４を開けてクロスフローろ過循環ポンプ１８を駆動し、糖液を膜面線速度０．３ｍ／ｓｅｃになるように分離膜モジュール８へ供給し、膜ろ過されなかった濃縮液はクロスフロー切り替えバルブ２６を通り被処理液供給槽１に戻すよう循環させた。同時に透過液−透過液流路置換水切り替えバルブ１３を透過液槽２１側に開けて、糖液を分離膜モジュール８の分離膜の一次側から二次側にろ過流束１ｍ３／ｍ２／日で２８分間、ろ過を行うろ過工程Ｓ１を実施した。このとき、得られた透過液のＴＯＣ濃度は２５０００ｐｐｍであった。続いて、クロスフロー切り替えバルブ１９，２６を、分離膜モジュール８側を閉じ、バイパスライン２５側を開け、排出バルブ９を開け、透過液流路置換水−酸性薬液切り替えバルブ１１の酸性薬液槽２３側を開にし、透過液−透過液流路置換水切り替えバルブ１３の透過液流路置換水ポンプ１５側を開にして、透過液流路置換水ポンプ１５を駆動し、分離膜モジュール８の分離膜の二次側から一次側に向かって３５℃の０．１Ｎ塩酸を１．５ｍ３／ｍ２／日で通液する第１薬洗工程Ｓ５を５分間実施した。
その後、透過液流路置換水−酸性薬液切り替えバルブ１１を、酸性薬液槽２３側を閉、透過液流路置換水供給源２２側を開にして、分離膜モジュール８の分離膜の二次側から一次側に向かって蒸留水を１．５ｍ３／ｍ２／日で通液する第２水置換工程Ｓ６を実施した。
第２水置換工程Ｓ６を終了後は、透過液流路置換水ポンプ１５を停止し、排出バルブ９を閉め、透過液−透過液流路置換水切り替えバルブ１３の透過液槽２１側を開にして、再びろ過工程に戻って、ろ過工程Ｓ１−第１薬洗工程Ｓ５−第２水置換工程Ｓ６を繰り返して糖液のろ過を継続した。
この間、膜の一次側圧力と二次側圧力の差分を差圧計２７によって観測し、その結果を図５に示す。比較例１の運転方法では、膜間差圧が著しく上昇し、運転を継続することができなかった。【００７２】
（比較例２）第１薬洗工程を実施しない運転
図４に示す膜分離装置を用いて、セルロース含有バイオマス由来糖液のろ過を実施した。分離膜および、セルロース含有バイオマス由来糖液は実施例１と同様に調製した。
得られた糖液を膜分離装置の被処理液供給槽１に入れ、クロスフローろ過を行った。まず、ろ過バルブ４を開けてクロスフローろ過循環ポンプ１８を駆動し、糖液を膜面線速度０．３ｍ／ｓｅｃになるように分離膜モジュール８へ供給し、膜ろ過されなかった濃縮液はクロスフロー切り替えバルブ２６を通り被処理液供給槽１に戻すよう循環させた。同時に透過液−透過液流路置換水切り替えバルブ１３の透過液槽２１側を開にして、糖液を分離膜モジュール８の分離膜の一次側から二次側にろ過流束１ｍ３／ｍ２／日で２８分間、ろ過を行うろ過工程Ｓ１を実施した。このとき、得られた透過液のＴＯＣ濃度は２５０００ｐｐｍであった。続いて、クロスフロー切り替えバルブ１９，２６を、分離膜モジュール８側を閉じ、バイパスライン２５側を開け、排出バルブ９を開け、透過液流路置換水−酸性薬液切り替えバルブ１１の透過液流路置換水供給源２２側を開にし、透過液−透過液流路置換水切り替えバルブ１３の透過液流路置換水ポンプ１５側を開にして、透過液流路置換水ポンプ１５を駆動し、分離膜モジュール８の分離膜の二次側から一次側に向かって蒸留水を１．５ｍ３／ｍ２／日で通液する第１水置換工程Ｓ３を７分間実施した。
その後、薬液による逆洗を実施せずに、分離膜モジュール８の分離膜の二次側から一次側に向かって蒸留水を１．５ｍ３／ｍ２／日で通液する第２水置換工程Ｓ６を実施した。
第２水置換工程Ｓ６を終了後は、透過液流路置換水ポンプ１５を停止し、排出バルブ９を閉め、透過液−透過液流路置換水切り替えバルブ１３の透過液槽２１側を開にして、再びろ過工程Ｓ１に戻って、ろ過工程Ｓ１−第１水置換工程Ｓ３−第２水置換工程Ｓ６を繰り返して糖液のろ過を継続した。
この間、分離膜の一次側圧力と二次側圧力の差分を差圧計２７によって観測し、その結果を図５に示す。比較例２の運転方法では、膜間差圧が上昇し、運転を継続することができなかった。【００７３】
（比較例３）第２水置換工程を実施しない運転
図４に示す膜分離装置を用いて、セルロース含有バイオマス由来糖液のろ過を実施した。分離膜および、セルロース含有バイオマス由来糖液は実施例１と同様に調製した。
得られた糖液を膜分離装置の被処理液供給槽１に入れ、クロスフローろ過を行った。まず、ろ過バルブ４を開けてクロスフローろ過循環ポンプ１８を駆動し、糖液を膜面線速度０．３ｍ／ｓｅｃになるように分離膜モジュール８へ供給し、膜ろ過されなかった濃縮液はクロスフロー切り替えバルブ２６を通り被処理液供給槽１に戻すよう循環させた。同時に透過液−透過液流路置換水切り替えバルブ１３の透過液槽２１側を開にして、糖液を分離膜モジュール８の分離膜の一次側から二次側にろ過流束１．５ｍ３／ｍ２／日で２８分間、ろ過を行うろ過工程Ｓ１を実施した。このとき、得られた透過液のＴＯＣ濃度は２５０００ｐｐｍであった。続いて、クロスフロー切り替えバルブ１９，２６を、分離膜モジュール８側を閉じ、バイパスライン２５側を開け、排出バルブ９を開け、透過液流路置換水−酸性薬液切り替えバルブ１１の透過液流路置換水供給源２２側を開にし、透過液−透過液流路置換水切り替えバルブ１３の透過液流路置換水ポンプ１５側を開にして、透過液流路置換水ポンプ１５を駆動し、分離膜モジュール８の分離膜の二次側から一次側に向かって蒸留水を１．５ｍ３／ｍ２／日で通液する第１水置換工程Ｓ３を２分間実施した。
続いて、透過液流路置換水−酸性薬液切り替えバルブ１１の透過液流路置換水供給源２２側を閉、酸性薬液槽２３側を開にそれぞれ変更し、分離膜モジュール８の分離膜の二次側から一次側に向かって３５℃の０．１Ｎ塩酸を１．５ｍ３／ｍ２／日で通液する第１薬洗工程Ｓ５を５分間実施した。
その後、透過液流路置換水ポンプ１５を停止し、排出バルブ９を閉め、透過液−透過液流路置換水切り替えバルブ１３の透過液槽２１側を開にして、第２水置換工程Ｓ６を行わずにろ過工程に戻って、ろ過工程Ｓ１−第１水置換工程Ｓ３−第１薬洗工程Ｓ５を繰り返して糖液のろ過を継続した。
この間、分離膜の一次側圧力と二次側圧力の差分を差圧計２７によって観測し、その結果を図５に示す。比較例３の運転方法では、膜間差圧が上昇し、長時間運転を継続することが出来なかった。【００７４】
（実施例２）
図４に示す膜分離装置を用いて、果汁のろ過を実施した。分離膜としては、東レ（株）製精密ろ過膜モジュール“トレフィル”（登録商標）ＨＦＳに使用されている公称細孔径０．０５μｍのポリフッ化ビニリデン製中空糸膜を切り出し、ポリカーボネート樹脂の成型品ケースに収容した中空糸膜モジュールを使用した。また、果汁のマグネシウムイオン濃度は１００ｐｐｍ、タンパク質濃度は５ｇ／Ｌ、多糖濃度は３ｇ／Ｌであった。
果汁を図４の分離膜装置の被処理液供給槽１に入れ、膜ろ過を実施した。ろ過はクロスフローろ過を行い、まずろ過工程Ｓ１として、ろ過バルブ４を開けてクロスフローろ過循環ポンプ１８を駆動し、糖液を膜面線速度０．３ｍ／ｓｅｃになるように分離膜モジュール８へ供給し、膜ろ過されなかった濃縮液はクロスフロー切り替えバルブ２６を通り被処理液供給槽１に戻すよう循環させた。同時に透過液−透過液流路置換水切り替えバルブ１３の透過液槽２１側を開にして、果汁を分離膜モジュール８の分離膜の一次側から二次側にろ過流束１ｍ３／ｍ２／日で２８分間、ろ過を実施した。このとき、得られた透過液のＴＯＣ濃度は４０００００ｐｐｍであった。続いて、クロスフロー切り替えバルブ１９，２６を、分離膜モジュール８側を閉じ、バイパスライン２５側を開け、透過液流路置換水排出バルブ２９を開け、透過液流路置換水−酸性薬液切り替えバルブ１１の透過液流路置換水供給源２２側を開にし、透過液−透過液流路置換水切り替えバルブ１３の透過液流路置換水ポンプ１５側を開にして、透過液流路置換水ポンプ１５を駆動し、分離膜モジュール８の分離膜の透過側流路を蒸留水で置換する第１水置換工程Ｓ３を２分間実施した。
続いて、透過液流路置換水−酸性薬液切り替えバルブ１１の透過液流路置換水供給源２２側を閉、酸性薬液槽２３側を開にそれぞれ変更し、透過液流路置換水排出バルブ２９を閉じ、排出バルブ９を開けて、分離膜モジュール８の分離膜の二次側から一次側に向かって３５℃の０．１Ｎ塩酸を１．５ｍ３／ｍ２／日で通液する第１薬洗工程Ｓ５を５分間実施した。
その後、再び透過液流路置換水−酸性薬液切り替えバルブ１１を、酸性薬液槽２３側を閉、透過液流路置換水供給源２２側を開にそれぞれ戻し、排出バルブ９を閉じ、透過液流路置換水排出バルブ２９を開けて、分離膜モジュールの透過側流路を蒸留水で置換する第２水置換工程Ｓ６を実施した。
第２水置換工程Ｓ６を終了後は、透過液流路置換水ポンプ１５を停止し、排出バルブ９を閉め、透過液−透過液流路置換水切り替えバルブ１３を再びろ過工程Ｓ１に戻って、ろ過工程Ｓ１−第１水置換工程Ｓ３−第１薬洗工程Ｓ５−第２水置換工程Ｓ６を繰り返して糖液のろ過を継続した。
この間、分離膜の一次側圧力と二次側圧力の差分を差圧計２７によって観測した。その結果、実施例２の方法では膜面積１ｍ２あたり０．２ｍ３ろ過した後の膜間差圧は７ｋＰａまでしか上昇せず、長時間安定的に運転することが出来た。【００７５】
（実施例３）
図４に示す膜分離装置を用いて、セルロース含有バイオマス由来糖液のろ過を実施した。分離膜および、セルロース含有バイオマス由来糖液は実施例１と同様に調製した。
得られた糖液を図４の分離膜装置の被処理液供給槽１に入れ、膜ろ過を実施した。ろ過はクロスフローろ過を行い、まずろ過工程Ｓ１として、ろ過バルブ４を開けてクロスフローろ過循環ポンプ１８を駆動し、糖液を膜面線速度０．３ｍ／ｓｅｃになるように分離膜モジュール８へ供給し、膜ろ過されなかった濃縮液はクロスフロー切り替えバルブ２６を通り被処理液供給槽１に戻すよう循環させた。同時に透過液−透過液流路置換水切り替えバルブ１３の透過液槽２１側を開にして、糖液を分離膜モジュール８の分離膜の一次側から二次側にろ過流束１ｍ３／ｍ２／日で２８分間、ろ過を実施した。このとき、得られた透過液のＴＯＣ濃度は２５０００ｐｐｍであった。続いて、クロスフロー切り替えバルブ１９，２６を、分離膜モジュール８側を閉じ、バイパスライン２５側を開け、排出バルブ９を開け、透過液流路置換水−酸性薬液切り替えバルブ１１の透過液流路置換水供給源２２側を開にし、透過液−透過液流路置換水切り替えバルブ１３の透過液流路置換水ポンプ１５側を開にして、透過液流路置換水ポンプ１５を駆動し、分離膜モジュール８の分離膜の二次側から一次側に向かって蒸留水を１．５ｍ３／ｍ２／日で通液する第１水置換工程Ｓ３を２分間実施した。
続いて、透過液流路置換水ポンプ１５を停止し、排出バルブ９および排濁バルブ６を開け、排水−排濁液貯槽切り替えバルブ３３を排水配管３４側に開けて、吸引ポンプ７を稼動して分離膜モジュール内の液体を排出した。
続いて、吸引ポンプ７を停止し、排出バルブ９および排濁バルブ６を閉じ、透過液流路置換水−酸性薬液切り替えバルブ１１の透過液流路置換水供給源２２側を閉、酸性薬液槽２３側を開にそれぞれ変更し、透過液流路置換水ポンプ１５を稼動し、分離膜モジュール８の分離膜の二次側から一次側に向かって３５℃の０．１Ｎ塩酸を１．５ｍ３／ｍ２／日で通液する第１薬洗工程Ｓ５を２分間実施した。
その後、再び透過液流路置換水−酸性薬液切り替えバルブ１１を、酸性薬液槽２３側を閉、透過液流路置換水供給源２２側を開にそれぞれ戻し、分離膜モジュールの分離膜の二次側から一次側に向かって蒸留水を１．５ｍ３／ｍ２／日で通液する第２水置換工程Ｓ６を実施した。
第２水置換工程Ｓ６を終了後は、透過液流路置換水ポンプ１５を停止し、排出バルブ９を閉め、透過液−透過液流路置換水切り替えバルブ１３を再びろ過工程Ｓ１に戻って、ろ過工程Ｓ１−第１水置換工程Ｓ３−第１薬洗工程Ｓ５−第２水置換工程Ｓ６を繰り返して糖液のろ過を継続した。
この間、分離膜の一次側圧力と二次側圧力の差分を差圧計２７によって観測した。その結果、実施例３の運転方法では、実施例１に比較して第１薬洗工程が短いにも関わらず、膜面積あたりの総ろ過量が同じとき、実施例１と同様膜間差圧は８ｋＰａまでしか上昇せず、長時間安定的に運転することが出来た。【００７６】
（実施例４）
図４に示す膜分離装置を用いて、セルロース含有バイオマス由来糖液のろ過を実施した。分離膜および、セルロース含有バイオマス由来糖液は実施例１と同様に調製した。
得られた糖液を図４の分離膜装置の被処理液供給槽１に入れ、膜ろ過を実施した。ろ過はクロスフローろ過を行い、まずろ過工程Ｓ１として、ろ過バルブ４を開けてクロスフローろ過循環ポンプ１８を駆動し、糖液を膜面線速度０．３ｍ／ｓｅｃになるように分離膜モジュール８へ供給し、膜ろ過されなかった濃縮液はクロスフロー切り替えバルブ２６を通り被処理液供給槽１に戻すよう循環させた。同時に透過液−透過液流路置換水切り替えバルブ１３の透過液槽２１側を開にして、糖液を分離膜モジュール８の分離膜の一次側から二次側にろ過流束１ｍ３／ｍ２／日で２８分間、ろ過を実施した。このとき、得られた透過液のＴＯＣ濃度は２５０００ｐｐｍであった。続いて、クロスフロー切り替えバルブ１９，２６を、分離膜モジュール８側を閉じ、バイパスライン２５側を開け、排出バルブ９を開け、透過液流路置換水−酸性薬液切り替えバルブ１１の透過液流路置換水供給源２２側を開にし、透過液−透過液流路置換水切り替えバルブ１３の透過液流路置換水ポンプ１５側を開にして、透過液流路置換水ポンプ１５を駆動し、分離膜モジュール８の分離膜の二次側から一次側に向かって蒸留水を１．５ｍ３／ｍ２／日で通液する第１水置換工程Ｓ３を２分間実施した。
続いて、透過液流路置換水−酸性薬液切り替えバルブ１１の透過液流路置換水供給源２２側を閉、酸性薬液槽２３側を開にそれぞれ変更し、分離膜モジュール８の分離膜の二次側から一次側に向かって３５℃の０．０１Ｎ塩酸を１．５ｍ３／ｍ２／日で通液する第１薬洗工程Ｓ５を５分間実施した。
その後、再び透過液流路置換水−酸性薬液切り替えバルブ１１を、酸性薬液槽２３側を閉、透過液流路置換水供給源２２側を開にそれぞれ戻し、分離膜モジュールの分離膜の二次側から一次側に向かって蒸留水を１．５ｍ３／ｍ２／日で通液する第２水置換工程Ｓ６を実施した。
第２水置換工程Ｓ６を終了後は、透過液流路置換水ポンプ１５を停止し、排出バルブ９を閉め、透過液−透過液流路置換水切り替えバルブ１３を再びろ過工程Ｓ１に戻って、ろ過工程Ｓ１−第１水置換工程Ｓ３−第１薬洗工程Ｓ５−第２水置換工程Ｓ６を繰り返して糖液のろ過を継続した。
この間、分離膜の一次側圧力と二次側圧力の差分を差圧計２７によって観測した。その結果、実施例４の運転方法では、膜面積１ｍ２あたり０．２ｍ３ろ過した後の膜間差圧は８ｋＰａまでしか上昇せず、長時間安定的に運転することが出来た。【００７７】
（実施例５）
図４に示す膜分離装置を用いて、セルロース含有バイオマス由来糖液のろ過を実施した。分離膜および、セルロース含有バイオマス由来糖液は実施例１と同様に調製した。
得られた糖液を図４の分離膜装置の被処理液供給槽１に入れ、膜ろ過を実施した。ろ過はクロスフローろ過を行い、まずろ過工程Ｓ１として、ろ過バルブ４を開けてクロスフローろ過循環ポンプ１８を駆動し、糖液を膜面線速度０．３ｍ／ｓｅｃになるように分離膜モジュール８へ供給し、膜ろ過されなかった濃縮液はクロスフロー切り替えバルブ２６を通り被処理液供給槽１に戻すよう循環させた。同時に透過液−透過液流路置換水切り替えバルブ１３の透過液槽２１側を開にして、糖液を分離膜モジュール８の分離膜の一次側から二次側にろ過流束１ｍ３／ｍ２／日で２８分間、ろ過を実施した。このとき、得られた透過液のＴＯＣ濃度は２５０００ｐｐｍであった。続いて、クロスフロー切り替えバルブ１９，２６を、分離膜モジュール８側を閉じ、バイパスライン２５側を開け、排出バルブ９を開け、透過液流路置換水−酸性薬液切り替えバルブ１１の透過液流路置換水供給源２２側を開にし、透過液−透過液流路置換水切り替えバルブ１３の透過液流路置換水ポンプ１５側を開にして、透過液流路置換水ポンプ１５を駆動し、分離膜モジュール８の分離膜の二次側から一次側に向かって蒸留水を１．５ｍ３／ｍ２／日で通液する第１水置換工程Ｓ３を２分間実施した。
続いて、透過液流路置換水−酸性薬液切り替えバルブ１１の透過液流路置換水供給源２２側を閉、酸性薬液槽２３側を開にそれぞれ変更し、分離膜モジュール８の分離膜の二次側から一次側に向かって３５℃の０．００１Ｎ塩酸を１．５ｍ３／ｍ２／日で通液する第１薬洗工程Ｓ５を５分間実施した。
その後、再び透過液流路置換水−酸性薬液切り替えバルブ１１を、酸性薬液槽２３側を閉、透過液流路置換水供給源２２側を開にそれぞれ戻し、分離膜モジュールの分離膜の二次側から一次側に向かって蒸留水を１．５ｍ３／ｍ２／日で通液する第２水置換工程Ｓ６を実施した。
第２水置換工程Ｓ６を終了後は、透過液流路置換水ポンプ１５を停止し、排出バルブ９を閉め、透過液−透過液流路置換水切り替えバルブ１３を再びろ過工程Ｓ１に戻って、ろ過工程Ｓ１−第１水置換工程Ｓ３−第１薬洗工程Ｓ５−第２水置換工程Ｓ６を繰り返して糖液のろ過を継続した。
この間、分離膜の一次側圧力と二次側圧力の差分を差圧計２７によって観測した。その結果、実施例５の運転方法では、膜面積１ｍ２あたり０．２ｍ３ろ過した後の膜間差圧は９ｋＰａまでしか上昇せず、長時間安定的に運転することが出来た。【００７８】
（実施例６）
図６に示す膜分離装置を用いて、セルロース含有バイオマス由来糖液のろ過を実施した。分離膜および、セルロース含有バイオマス由来糖液は実施例１と同様に調製した。
得られた糖液を図６の分離膜装置の被処理液供給槽１に入れ、膜ろ過を実施した。ろ過はクロスフローろ過を行い、まずろ過工程Ｓ１として、ろ過バルブ４を開けてクロスフローろ過循環ポンプ１８を駆動し、糖液を膜面線速度０．３ｍ／ｓｅｃになるように分離膜モジュール８へ供給し、膜ろ過されなかった濃縮液はクロスフロー切り替えバルブ２６を通り被処理液供給槽１に戻すよう循環させた。同時に透過液−透過液流路置換水切り替えバルブ１３の透過液槽２１側を開にして、糖液を分離膜モジュール８の分離膜の一次側から二次側にろ過流束１ｍ３／ｍ２／日で２８分間、ろ過を実施した。このとき、得られた透過液のＴＯＣ濃度は２５０００ｐｐｍであった。続いて、クロスフロー切り替えバルブ１９，２６を、分離膜モジュール８側を閉じ、バイパスライン２５側を開け、排出バルブ９を開け、透過液流路置換水−酸性薬液切り替えバルブ１１および透過液流路置換水−アルカリ性薬液切り替えバルブ３５の透過液流路置換水供給源２２側を開にし、透過液−透過液流路置換水切り替えバルブ１３の透過液流路置換水ポンプ１５側を開にして、透過液流路置換水ポンプ１５を駆動し、分離膜モジュール８の分離膜の二次側から一次側に向かって蒸留水を１．５ｍ３／ｍ２／日で通液する第１水置換工程Ｓ３を２分間実施した。
続いて、透過液流路置換水−酸性薬液切り替えバルブ１１の透過液流路置換水供給源２２側を閉、酸性薬液槽２３側を開にそれぞれ変更し、分離膜モジュール８の分離膜の二次側から一次側に向かって３５℃の０．１Ｎ塩酸を１．５ｍ３／ｍ２／日で通液する第１薬洗工程Ｓ５を５分間実施した。
その後、再び透過液流路置換水−酸性薬液切り替えバルブ１１を、酸性薬液槽２３側を閉、透過液流路置換水供給源２２側を開にそれぞれ戻し、分離膜モジュールの分離膜の二次側から一次側に向かって蒸留水を１．５ｍ３／ｍ２／日で通液する第２水置換工程Ｓ６を実施した。
続いて、透過液流路置換水−酸性薬液切り替えバルブ１１の酸性薬液槽２３側を閉、および透過液流路置換水−アルカリ性薬液切り替えバルブ３５の透過液流路置換水供給源２２側を閉、アルカリ性薬液槽３７側を開にそれぞれ変更し、分離膜モジュール８の分離膜の二次側から一次側に向かって３５℃、０．０１Ｎの水酸化ナトリウム水溶液を１．５ｍ３／ｍ２／日で通液する第２薬洗工程Ｓ８を５分間実施した。
その後、再び透過液流路置換水−アルカリ性薬液切り替えバルブ３５を、アルカリ性薬液槽３７側を閉、透過液流路置換水供給源２２側を開にそれぞれ戻し、分離膜モジュールの分離膜の二次側から一次側に向かって蒸留水を１．５ｍ３／ｍ２／日で通液する第３水置換工程Ｓ９を実施した。
第３水置換工程Ｓ９を終了後は、透過液流路置換水ポンプ１５を停止し、排出バルブ９を閉め、透過液−透過液流路置換水切り替えバルブ１３を再びろ過工程Ｓ１に戻って、ろ過工程Ｓ１−第１水置換工程Ｓ３−第１薬洗工程Ｓ５−第２水置換工程Ｓ６−第２薬洗工程Ｓ８−第３水置換工程Ｓ９を繰り返して糖液のろ過を継続した。
この間、分離膜の一次側圧力と二次側圧力の差分を差圧計２７によって観測した。その結果、実施例６の方法では膜面積１ｍ２あたり０．２ｍ３ろ過した後の膜間差圧は５ｋＰａと初期膜間差圧からほとんど上昇せず、長時間安定的に運転することが出来た。【００７９】
（実施例７）
図４に示す膜分離装置を用いて、セルロース含有バイオマス由来糖液のろ過を実施した。分離膜および、セルロース含有バイオマス由来糖液は実施例１と同様に調製した。
得られた糖液を図４の分離膜装置の被処理液供給槽１に入れ、膜ろ過を実施した。ろ過はクロスフローろ過を行い、まずろ過工程Ｓ１として、ろ過バルブ４を開けてクロスフローろ過循環ポンプ１８を駆動し、糖液を膜面線速度０．３ｍ／ｓｅｃになるように分離膜モジュール８へ供給し、膜ろ過されなかった濃縮液はクロスフロー切り替えバルブ２６を通り被処理液供給槽１に戻すよう循環させた。同時に透過液−透過液流路置換水切り替えバルブ１３の透過液槽２１側を開にして、糖液を分離膜モジュール８の分離膜の一次側から二次側にろ過流束１ｍ３／ｍ２／日で２８分間、ろ過を実施した。このとき、得られた透過液のＴＯＣ濃度は２５０００ｐｐｍであった。続いて、クロスフロー切り替えバルブ１９，２６を、分離膜モジュール８側を閉じ、バイパスライン２５側を開け、排出バルブ９を開け、透過液流路置換水−酸性薬液切り替えバルブ１１の透過液流路置換水供給源２２側を開にし、透過液−透過液流路置換水切り替えバルブ１３の透過液流路置換水ポンプ１５側を開にして、透過液流路置換水ポンプ１５を駆動し、分離膜モジュール８の分離膜の二次側から一次側に向かって蒸留水を１．５ｍ３／ｍ２／日で通液する第１水置換工程Ｓ３を２分間実施した。
続いて、透過液流路置換水−酸性薬液切り替えバルブ１１の透過液流路置換水供給源２２側を閉、酸性薬液槽２３側を開にそれぞれ変更し、分離膜モジュール８の分離膜の二次側から一次側に向かって７０℃の０．１Ｎ塩酸を１．５ｍ３／ｍ２／日で通液する第１薬洗工程Ｓ５を５分間実施した。
その後、再び透過液流路置換水−酸性薬液切り替えバルブ１１を、酸性薬液槽２３側を閉、透過液流路置換水供給源２２側を開にそれぞれ戻し、分離膜モジュールの分離膜の二次側から一次側に向かって蒸留水を１．５ｍ３／ｍ２／日で通液する第２水置換工程Ｓ６を実施した。
第２水置換工程Ｓ６を終了後は、透過液流路置換水ポンプ１５を停止し、排出バルブ９を閉め、透過液−透過液流路置換水切り替えバルブ１３を再びろ過工程Ｓ１に戻って、ろ過工程Ｓ１−第１水置換工程Ｓ３−第１薬洗工程Ｓ５−第２水置換工程Ｓ６を繰り返して糖液のろ過を継続した。
この間、分離膜の一次側圧力と二次側圧力の差分を差圧計２７によって観測し、その結果を図８に示す。図８の横軸は膜面積あたりの総ろ過量、縦軸は膜間差圧を表す。実施例７の運転方法では、後述する比較例６に比較してさらに膜間差圧の上昇が抑制され、長時間安定的に運転することが出来た。【００８０】
（実施例８）
図４に示す膜分離装置を用いて、セルロース含有バイオマス由来糖液のろ過を実施した。分離膜および、セルロース含有バイオマス由来糖液は実施例１と同様に調製した。
得られた糖液を図４の分離膜装置の被処理液供給槽１に入れ、膜ろ過を実施した。ろ過はクロスフローろ過を行い、まずろ過工程Ｓ１として、ろ過バルブ４を開けてクロスフローろ過循環ポンプ１８を駆動し、糖液を膜面線速度０．３ｍ／ｓｅｃになるように分離膜モジュール８へ供給し、膜ろ過されなかった濃縮液はクロスフロー切り替えバルブ２６を通り被処理液供給槽１に戻すよう循環させた。同時に透過液−透過液流路置換水切り替えバルブ１３の透過液槽２１側を開にして、糖液を分離膜モジュール８の分離膜の一次側から二次側にろ過流束１ｍ３／ｍ２／日で２８分間、ろ過を実施した。このとき、得られた透過液のＴＯＣ濃度は２５０００ｐｐｍであった。続いて、クロスフロー切り替えバルブ１９，２６を、分離膜モジュール８側を閉じ、バイパスライン２５側を開け、排出バルブ９を開け、透過液流路置換水−酸性薬液切り替えバルブ１１の透過液流路置換水供給源２２側を開にし、透過液−透過液流路置換水切り替えバルブ１３の透過液流路置換水ポンプ１５側を開にして、透過液流路置換水ポンプ１５を駆動し、分離膜モジュール８の分離膜の二次側から一次側に向かって蒸留水を１．５ｍ３／ｍ２／日で通液する第１水置換工程Ｓ３を２分間実施した。
続いて、透過液流路置換水−酸性薬液切り替えバルブ１１の透過液流路置換水供給源２２側を閉、酸性薬液槽２３側を開にそれぞれ変更し、分離膜モジュール８の分離膜の二次側から一次側に向かって９０℃の０．１Ｎ塩酸を１．５ｍ３／ｍ２／日で通液する第１薬洗工程Ｓ５を５分間実施した。
その後、再び透過液流路置換水−酸性薬液切り替えバルブ１１を、酸性薬液槽２３側を閉、透過液流路置換水供給源２２側を開にそれぞれ戻し、分離膜モジュールの分離膜の二次側から一次側に向かって蒸留水を１．５ｍ３／ｍ２／日で通液する第２水置換工程Ｓ６を実施した。
第２水置換工程Ｓ６を終了後は、透過液流路置換水ポンプ１５を停止し、排出バルブ９を閉め、透過液−透過液流路置換水切り替えバルブ１３を再びろ過工程Ｓ１に戻って、ろ過工程Ｓ１−第１水置換工程Ｓ３−第１薬洗工程Ｓ５−第２水置換工程Ｓ６を繰り返して糖液のろ過を継続した。
この間、分離膜の一次側圧力と二次側圧力の差分を差圧計２７によって観測し、その結果を図８に示す。図８の横軸は膜面積あたりの総ろ過量、縦軸は膜間差圧を表す。実施例８の運転方法では、後述する比較例６に比較してさらに膜間差圧の上昇が抑制され、長時間安定的に運転することが出来た。【００８１】
（実施例９）
図４に示す膜分離装置を用いて、セルロース含有バイオマス由来糖液のろ過を実施した。分離膜は実施例１と同様に調製した。セルロース含有バイオマス由来糖液は、次の手順に従って得た。まず、稲藁約２ｇに、蒸留水３３９０ｇ、濃硫酸６０ｇを添加して懸濁し、オートクレーブ（日東高圧（株）製）を用いて１５℃で３０分オートクレーブ処理した。処理後、水酸化ナトリウムによってｐＨを５付近に調整した混合液を得た。続いて、トリコデルマセルラーゼ（シグマアルドリッチジャパン社製）およびノボザイム１８８（アスペルギルスニガー由来βグルコシダーゼ製剤、シグマアルドリッチジャパン社製）を併せて０．２ｇ含む酵素水溶液２５０ｇを調製し、前述の混合液に添加して５０℃で３日間攪拌混合して、ろ過に供する糖液を得た。糖液の亜鉛イオン濃度は１５ｐｐｍ、タンパク質濃度は０．０５ｇ／Ｌ、多糖濃度は０．０５ｇ／Ｌであった。
得られた糖液を図４の分離膜装置の被処理液供給槽１に入れ、膜ろ過を実施した。ろ過はクロスフローろ過を行い、まずろ過工程Ｓ１として、ろ過バルブ４を開けてクロスフローろ過循環ポンプ１８を駆動し、糖液を膜面線速度０．３ｍ／ｓｅｃになるように分離膜モジュール８へ供給し、膜ろ過されなかった濃縮液はクロスフロー切り替えバルブ２６を通り被処理液供給槽１に戻すよう循環させた。同時に透過液−透過液流路置換水切り替えバルブ１３の透過液槽２１側を開にして、糖液を分離膜モジュール８の分離膜の一次側から二次側にろ過流束１ｍ３／ｍ２／日で２８分間、ろ過を実施した。このとき、得られた透過液のＴＯＣ濃度は１００ｐｐｍであった。続いて、クロスフロー切り替えバルブ１９，２６を、分離膜モジュール８側を閉じ、バイパスライン２５側を開け、排出バルブ９を開け、透過液流路置換水−酸性薬液切り替えバルブ１１の透過液流路置換水供給源２２側を開にし、透過液−透過液流路置換水切り替えバルブ１３の透過液流路置換水ポンプ１５側を開にして、透過液流路置換水ポンプ１５を駆動し、分離膜モジュール８の分離膜の二次側から一次側に向かって蒸留水を１．５ｍ３／ｍ２／日で通液する第１水置換工程Ｓ３を２分間実施した。
続いて、透過液流路置換水−酸性薬液切り替えバルブ１１の透過液流路置換水供給源２２側を閉、酸性薬液槽２３側を開にそれぞれ変更し、分離膜モジュール８の分離膜の二次側から一次側に向かって３５℃の０．１Ｎ塩酸を１．５ｍ３／ｍ２／日で通液する第１薬洗工程Ｓ５を５分間実施した。
その後、再び透過液流路置換水−酸性薬液切り替えバルブ１１を、酸性薬液槽２３側を閉、透過液流路置換水供給源２２側を開にそれぞれ戻し、分離膜モジュールの分離膜の二次側から一次側に向かって蒸留水を１．５ｍ３／ｍ２／日で通液する第２水置換工程Ｓ６を実施した。
第２水置換工程Ｓ６を終了後は、透過液流路置換水ポンプ１５を停止し、排出バルブ９を閉め、透過液−透過液流路置換水切り替えバルブ１３を再びろ過工程Ｓ１に戻って、ろ過工程Ｓ１−第１水置換工程Ｓ３−第１薬洗工程Ｓ５−第２水置換工程Ｓ６を繰り返して糖液のろ過を継続した。
この間、分離膜の一次側圧力と二次側圧力の差分を差圧計２７によって観測した。その結果、実施例９の運転方法では、膜面積１ｍ２あたり０．２ｍ３ろ過した後の膜間差圧は７ｋＰａまでしか上昇せず、長時間安定的に運転することが出来た。【００８２】
（比較例４）
図４に示す膜分離装置を用いて、植物破砕液のろ過を実施した。分離膜としては、東レ（株）製精密ろ過膜モジュール“トレフィル”（登録商標）ＨＦＳに使用されている公称細孔径０．０５μｍのポリフッ化ビニリデン製中空糸膜を切り出し、ポリカーボネート樹脂の成型品ケースに収容した中空糸膜モジュールを使用した。また、植物破砕液のマグネシウムイオン濃度は２０００ｐｐｍ、タンパク質濃度は１０ｇ／Ｌ、多糖濃度は３０ｇ／Ｌであった。
得られた植物破砕液を図４の分離膜装置の被処理液供給槽１に入れ、膜ろ過を実施した。ろ過はクロスフローろ過を行い、まずろ過工程Ｓ１として、ろ過バルブ４を開けてクロスフローろ過循環ポンプ１８を駆動し、植物破砕液を膜面線速度０．３ｍ／ｓｅｃになるように分離膜モジュール８へ供給し、膜ろ過されなかった濃縮液はクロスフロー切り替えバルブ２６を通り被処理液供給槽１に戻すよう循環させた。同時に透過液−透過液流路置換水切り替えバルブ１３の透過液槽２１側を開にして、植物破砕液を分離膜モジュール８の分離膜の一次側から二次側にろ過流束１ｍ３／ｍ２／日で２８分間、ろ過を実施した。このとき、得られた透過液のＴＯＣ濃度は５０００００ｐｐｍであった。続いて、クロスフロー切り替えバルブ１９，２６を、分離膜モジュール８側を閉じ、バイパスライン２５側を開け、排出バルブ９を開け、透過液流路置換水−酸性薬液切り替えバルブ１１の透過液流路置換水供給源２２側を開にし、透過液−透過液流路置換水切り替えバルブ１３の透過液流路置換水ポンプ１５側を開にして、透過液流路置換水ポンプ１５を駆動し、分離膜モジュール８の分離膜の二次側から一次側に向かって蒸留水を１．５ｍ３／ｍ２／日で通液する第１水置換工程Ｓ３を２分間実施した。
続いて、透過液流路置換水−酸性薬液切り替えバルブ１１の透過液流路置換水供給源２２側を閉、酸性薬液槽２３側を開にそれぞれ変更し、分離膜モジュール８の分離膜の二次側から一次側に向かって３５℃の０．１Ｎ塩酸を１．５ｍ３／ｍ２／日で通液する第１薬洗工程Ｓ５を５分間実施した。
その後、再び透過液流路置換水−酸性薬液切り替えバルブ１１を、酸性薬液槽２３側を閉、透過液流路置換水供給源２２側を開にそれぞれ戻し、分離膜モジュールの分離膜の二次側から一次側に向かって蒸留水を１．５ｍ３／ｍ２／日で通液する第２水置換工程Ｓ６を実施した。
第２水置換工程Ｓ６を終了後は、透過液流路置換水ポンプ１５を停止し、排出バルブ９を閉め、透過液−透過液流路置換水切り替えバルブ１３を再びろ過工程Ｓ１に戻って、ろ過工程Ｓ１−第１水置換工程Ｓ３−第１薬洗工程Ｓ５−第２水置換工程Ｓ６を繰り返して糖液のろ過を継続した。
この間、分離膜の一次側圧力と二次側圧力の差分を差圧計２７によって観測し、その結果を図５に示す。図５の横軸は膜面積当たりの総ろ過量、縦軸は膜間差圧を表す。比較例４では、透過液のＴＯＣ濃度が高いために充分な洗浄効果が得られず、ろ過運転の継続が困難であった。【００８３】
（比較例５）
図４に示す膜分離装置を用いて、セルロース含有バイオマス由来糖液のろ過を実施した。分離膜および、セルロース含有バイオマス由来糖液は実施例１と同様に調製した。
得られた糖液を図４の分離膜装置の被処理液供給槽１に入れ、膜ろ過を実施した。ろ過はクロスフローろ過を行い、まずろ過工程Ｓ１として、ろ過バルブ４を開けてクロスフローろ過循環ポンプ１８を駆動し、糖液を膜面線速度０．３ｍ／ｓｅｃになるように分離膜モジュール８へ供給し、膜ろ過されなかった濃縮液はクロスフロー切り替えバルブ２６を通り被処理液供給槽１に戻すよう循環させた。同時に透過液−透過液流路置換水切り替えバルブ１３の透過液槽２１側を開にして、糖液を分離膜モジュール８の分離膜の一次側から二次側にろ過流束１ｍ３／ｍ２／日で２８分間、ろ過を実施したこのとき、得られた透過液のＴＯＣ濃度は２５０００ｐｐｍであった。続いて、クロスフロー切り替えバルブ１９，２６を、分離膜モジュール８側を閉じ、バイパスライン２５側を開け、排出バルブ９を開け、透過液流路置換水−酸性薬液切り替えバルブ１１の透過液流路置換水供給源２２側を開にし、透過液−透過液流路置換水切り替えバルブ１３の透過液流路置換水ポンプ１５側を開にして、透過液流路置換水ポンプ１５を駆動し、分離膜モジュール８の分離膜の二次側から一次側に向かって蒸留水を１．５ｍ３／ｍ２／日で通液する第１水置換工程Ｓ３を２分間実施した。
続いて、透過液流路置換水−酸性薬液切り替えバルブ１１の透過液流路置換水供給源２２側を閉、酸性薬液槽２３側を開にそれぞれ変更し、分離膜モジュール８の分離膜の二次側から一次側に向かって３５℃の０．０００１Ｎ塩酸を１．５ｍ３／ｍ２／日で通液する第１薬洗工程Ｓ５を５分間実施した。
その後、再び透過液流路置換水−酸性薬液切り替えバルブ１１を、酸性薬液槽２３側を閉、透過液流路置換水供給源２２側を開にそれぞれ戻し、分離膜モジュールの分離膜の二次側から一次側に向かって蒸留水を１．５ｍ３／ｍ２／日で通液する第２水置換工程Ｓ６を実施した。
第２水置換工程Ｓ６を終了後は、透過液流路置換水ポンプ１５を停止し、排出バルブ９を閉め、透過液−透過液流路置換水切り替えバルブ１３を再びろ過工程Ｓ１に戻って、ろ過工程Ｓ１−第１水置換工程Ｓ３−第１薬洗工程Ｓ５−第２水置換工程Ｓ６を繰り返して糖液のろ過を継続した。
この間、分離膜の一次側圧力と二次側圧力の差分を差圧計２７によって観測し、その結果を図５に示す。図５の横軸は膜面積当たりの総ろ過量、縦軸は膜間差圧を表す。比較例５では、充分な洗浄効果が得られず、ろ過運転の継続が困難であった。【００８４】
（比較例６）
図４に示す膜分離装置を用いて、セルロース含有バイオマス由来糖液のろ過を実施した。分離膜および、セルロース含有バイオマス由来糖液は実施例１と同様に調製した。
得られた糖液を図４の分離膜装置の被処理液供給槽１に入れ、膜ろ過を実施した。ろ過はクロスフローろ過を行い、まずろ過工程Ｓ１として、ろ過バルブ４を開けてクロスフローろ過循環ポンプ１８を駆動し、糖液を膜面線速度０．３ｍ／ｓｅｃになるように分離膜モジュール８へ供給し、膜ろ過されなかった濃縮液はクロスフロー切り替えバルブ２６を通り被処理液供給槽１に戻すよう循環させた。同時に透過液−透過液流路置換水切り替えバルブ１３の透過液槽１２側を開にして、糖液を分離膜モジュール８の分離膜の一次側から二次側にろ過流束１ｍ３／ｍ２／日で２８分間、ろ過を実施した。このとき、得られた透過液のＴＯＣ濃度２５０００ｐｐｍであった。続いて、クロスフロー切り替えバルブ１９，２６を、分離膜モジュール８側を閉じ、バイパスライン２５側を開け、排出バルブ９を開け、透過液流路置換水−酸性薬液切り替えバルブ１１の透過液流路置換水供給源２２側を開にし、透過液−透過液流路置換水切り替えバルブ１３の透過液流路置換水ポンプ１５側を開にして、透過液流路置換水ポンプ１５を駆動し、分離膜モジュール８の分離膜の二次側から一次側に向かって蒸留水を１．５ｍ３／ｍ２／日で通液する第１水置換工程Ｓ３を２分間実施した。
続いて、透過液流路置換水−酸性薬液切り替えバルブ１１の透過液流路置換水供給源２２側を閉、酸性薬液槽２３側を開にそれぞれ変更し、分離膜モジュール８の分離膜の二次側から一次側に向かって２０℃の０．１Ｎ塩酸を１．５ｍ３／ｍ２／日で通液する第１薬洗工程Ｓ５を５分間実施した。
その後、再び透過液流路置換水−酸性薬液切り替えバルブ１１を、酸性薬液槽２３側を閉、透過液流路置換水供給源２２側を開にそれぞれ戻し、分離膜モジュールの分離膜の二次側から一次側に向かって蒸留水を１．５ｍ３／ｍ２／日で通液する第２水置換工程Ｓ６を実施した。
第２水置換工程Ｓ６を終了後は、透過液流路置換水ポンプ１５を停止し、排出バルブ９を閉め、透過液−透過液流路置換水切り替えバルブ１３を再びろ過工程Ｓ１に戻って、ろ過工程Ｓ１−第１水置換工程Ｓ３−第１薬洗工程Ｓ５−第２水置換工程Ｓ６を繰り返して糖液のろ過を継続した。
この間、分離膜の一次側圧力と二次側圧力の差分を差圧計２７によって観測し、その結果を図８に示す。図８の横軸は膜面積当たりの総ろ過量、縦軸は膜間差圧を表す。比較例６では、実施例１、７、８に比較して充分な洗浄効果が得られず、膜間差圧の上昇が早くなった。【００８５】
（比較例７）
図６に示す膜分離装置を用いて、セルロース含有バイオマス由来糖液のろ過を実施した。分離膜および、セルロース含有バイオマス由来糖液は実施例１と同様に調製した。
得られた糖液を図６の分離膜装置の被処理液供給槽１に入れ、膜ろ過を実施した。ろ過はクロスフローろ過を行い、まずろ過工程Ｓ１として、ろ過バルブ４を開けてクロスフローろ過循環ポンプ１８を駆動し、糖液を膜面線速度０．３ｍ／ｓｅｃになるように分離膜モジュール８へ供給し、膜ろ過されなかった濃縮液はクロスフロー切り替えバルブ２６を通り被処理液供給槽１に戻すよう循環させた。同時に透過液−透過液流路置換水切り替えバルブ１３の透過液槽２１側を開にして、糖液を分離膜モジュール８の分離膜の一次側から二次側にろ過流束１ｍ３／ｍ２／日で２８分間、ろ過を実施した。このとき、得られた透過液のＴＯＣ濃度２５０００ｐｐｍであった。続いて、クロスフロー切り替えバルブ１９，２６を、分離膜モジュール８側を閉じ、バイパスライン２５側を開け、排出バルブ９を開け、透過液流路置換水−酸性薬液切り替えバルブ１１および透過液流路置換水−アルカリ性薬液切り替えバルブ３５の透過液流路置換水供給源２２側を開にし、透過液−透過液流路置換水切り替えバルブ１３の透過液流路置換水ポンプ１５側を開にして、透過液流路置換水ポンプ１５を駆動し、分離膜モジュール８の分離膜の二次側から一次側に向かって蒸留水を１．５ｍ３／ｍ２／日で通液する第１水置換工程Ｓ３を２分間実施した。
続いて、透過液流路置換水−アルカリ性薬液切り替えバルブ３５の透過液流路置換水供給源２２側を閉、アルカリ性薬液槽３７側を開にそれぞれ変更し、分離膜モジュール８の分離膜の二次側から一次側に向かって３５℃の０．０１Ｎ水酸化ナトリウム水溶液を１．５ｍ３／ｍ２／日で通液する第２薬洗工程Ｓ８を５分間実施した。
その後、再び透過液流路置換水−アルカリ性薬液切り替えバルブ３５を、アルカリ性薬液槽３７側を閉、透過液流路置換水供給源２２側を開にそれぞれ戻し、分離膜モジュールの分離膜の二次側から一次側に向かって蒸留水を１．５ｍ３／ｍ２／日で通液する第３水置換工程Ｓ９を実施した。
第３水置換工程Ｓ９を終了後は、透過液流路置換水ポンプ１５を停止し、排出バルブ９を閉め、透過液−透過液流路置換水切り替えバルブ１３を再びろ過工程Ｓ１に戻って、ろ過工程Ｓ１−第１水置換工程Ｓ３−第２薬洗工程Ｓ８−第３水置換工程Ｓ９を繰り返して糖液のろ過を継続した。
この間、分離膜の一次側圧力と二次側圧力の差分を差圧計２７によって観測し、その結果を図５に示す。図５の横軸は膜面積当たりの総ろ過量、縦軸は膜間差圧を表す。比較例７では、実施例１に比較して充分な洗浄効果が得られず、ろ過の継続が困難であった。【００８６】
（比較例８）
図４に示す膜分離装置を用いて、セルロース含有バイオマス由来糖液のろ過を実施した。分離膜は実施例１と同様に調製した。セルロース含有バイオマス由来糖液は、次の手順に従って得た。まず、稲藁約４００ｇに、蒸留水２９４０ｇ、濃硫酸６０ｇを添加して懸濁し、１５℃で３０分オートクレーブ処理（日東高圧（株）製）した。処理後、水酸化ナトリウムによってｐＨを５付近に調整した混合液を得た。続いて、トリコデルマセルラーゼ（シグマアルドリッチジャパン社製）およびノボザイム１８８（アスペルギルスニガー由来βグルコシダーゼ製剤、シグマアルドリッチジャパン社製）を併せて２５ｇ含む酵素水溶液２５０ｇを調製し、前述の混合液に添加して５０℃で３日間攪拌混合し、静置後の上清を得た。得られた上清を陽イオン交換樹脂に通した後、ろ過に供した。ろ過に供試した糖液のマグネシウムイオン濃度は０ｐｐｍ、タンパク質濃度は９ｇ／Ｌ、多糖濃度は４ｇ／Ｌであった。
得られた糖液を図４の分離膜装置の被処理液供給槽１に入れ、膜ろ過を実施した。ろ過はクロスフローろ過を行い、まずろ過工程Ｓ１として、ろ過バルブ４を開けてクロスフローろ過循環ポンプ１８を駆動し、糖液を膜面線速度０．３ｍ／ｓｅｃになるように分離膜モジュール８へ供給し、膜ろ過されなかった濃縮液はクロスフロー切り替えバルブ２６を通り被処理液供給槽１に戻すよう循環させた。同時に透過液−透過液流路置換水切り替えバルブ１３の透過液槽２１側を開にして、糖液を分離膜モジュール８の分離膜の一次側から二次側にろ過流束１ｍ３／ｍ２／日で２８分間、ろ過を実施した。このとき、得られた透過液のＴＯＣ濃度２１０００ｐｐｍであった。続いて、クロスフロー切り替えバルブ１９，２６を、分離膜モジュール８側を閉じ、バイパスライン２５側を開け、排出バルブ９を開け、透過液流路置換水−酸性薬液切り替えバルブ１１の透過液流路置換水供給源２２側を開にし、透過液−透過液流路置換水切り替えバルブ１３の透過液流路置換水ポンプ１５側を開にして、透過液流路置換水ポンプ１５を駆動し、分離膜モジュール８の分離膜の二次側から一次側に向かって蒸留水を１．５ｍ３／ｍ２／日で通液する第１水置換工程Ｓ３を２分間実施した。
続いて、透過液流路置換水−酸性薬液切り替えバルブ１１の透過液流路置換水供給源２２側を閉、酸性薬液槽２３側を開にそれぞれ変更し、分離膜モジュール８の分離膜の二次側から一次側に向かって３５℃、０．１Ｎ塩酸を１．５ｍ３／ｍ２／日で通液する第１薬洗工程Ｓ５を５分間実施した。
その後、再び透過液流路置換水−酸性薬液切り替えバルブ１１を、酸性薬液槽２３側を閉、透過液流路置換水供給源２２側を開にそれぞれ戻し、分離膜モジュールの分離膜の二次側から一次側に向かって蒸留水を１．５ｍ３／ｍ２／日で通液する第２水置換工程Ｓ６を実施した。
第２水置換工程Ｓ６を終了後は、透過液流路置換水ポンプ１５を停止し、排出バルブ９を閉め、透過液−透過液流路置換水切り替えバルブ１３を再びろ過工程Ｓ１に戻って、ろ過工程Ｓ１−第１水置換工程Ｓ３−第１薬洗工程Ｓ５−第２水置換工程Ｓ６を繰り返して糖液のろ過を継続した。
この間、分離膜の一次側圧力と二次側圧力の差分を差圧計２７によって観測し、その結果を図５に示す。図５の横軸は膜面積当たりの総ろ過量、縦軸は膜間差圧を表す。比較例８の運転方法では、実施例１に比較して充分な洗浄効果が得られず、ろ過の継続が困難であった。【００８７】
本発明を詳細にまた特定の実施態様を参照して説明したが、本発明の精神と範囲を逸脱することなく様々な変更や修正を加えることができることは当業者にとって明らかである。本出願は、２０１４年３月２４日出願の日本特許出願（特願２０１４−０６０６４０）に基づくものであり、その内容はここに参照として取り込まれる。
【産業上の利用可能性】
【００８８】
本発明は、高濃度の有機物を含有する被処理液の膜ろ過運転について、薬液による逆洗工程の前および後に透過側流路を水によって置換することで、有機物の変性物による閉塞を抑制し、薬液による洗浄効果を十分に発揮して長時間安定的な膜ろ過運転を実現できるため、有機物高含有液の膜ろ過プロセスを採用する食品・バイオ・医療分野において広く利用され、膜ろ過製品生産の効率向上やコストダウンが可能になる。
【符号の説明】
【００８９】
１    被処理液供給槽
２    ろ過ポンプ
３    配管
４    ろ過バルブ
６    排濁バルブ
７    吸引ポンプ
８    分離膜モジュール
９    排出バルブ
１０  配管
１１  透過側流路置換水−酸性薬液切り替えバルブ
１３  透過液−透過液流路置換水切り替えバルブ
１５  透過液流路置換水ポンプ
１６  透過液流路置換水配管
１７  酸性薬液配管
１８  クロスフローろ過循環ポンプ
１９  クロスフロー切り替えバルブ
２０  制御装置
２１  透過液槽
２２  透過液流路置換水供給源
２３  酸性薬液槽
２４  排濁液貯槽
２５  バイパスライン
２６  クロスフロー切り替えバルブ
２７  差圧計
２８  透過液流路置換水排出配管
２９  透過液流路置換水排出バルブ
３０  透過液流路置換水排出槽
３１  排濁液還流ポンプ
３２  排濁液還流配管
３３  排水−排濁液貯槽切り替えバルブ
３４  排水配管
３５  透過液流路置換水−アルカリ性薬液切り替えバルブ
３６  アルカリ性薬液配管
３７  アルカリ性薬液槽
３８  酸性薬液原液配管
３９  酸性薬液原液ポンプ
４０  酸性薬液原液槽
４１  アルカリ性薬液原液配管
４２  アルカリ性薬液原液ポンプ
４３  アルカリ性薬液原液槽
４４  透過液流路
【図１】
2015146990.tif 000003
【図２】
2015146990.tif 000004
【図３】
2015146990.tif 000005
【図４】
2015146990.tif 000006
【図５】
2015146990.tif 000007
【図６】
2015146990.tif 000008
【図７】
2015146990.tif 000009
【図８】
2015146990.tif 000010
【国際調査報告】
2015146990.tif 000011
2015146990.tif 000012
2015146990.tif 000013
2015146990.tif 000014